(57)【要約】  サブ物理リソースブロック（ＰＲＢ）送信に使用されるサブキャリアを選択し、いくつかの実施形態では、選択されたサブキャリア上のリソースに復調参照信号（ＤＭＲＳ）をマッピングするためのシステムおよび方法が開示される。いくつかの実施形態では、サブＰＲＢ送信を提供するための無線ノードの動作方法が離散フーリエ変換（ＤＦＴ）拡散長が２の３つの割り当てられたサブキャリアのセットのうちの２つのみを使用する、シングルキャリア周波数分割多元接続（ＳＣ−ＦＤＭＡ）Ｐｉ／２ ２値位相シフトキーイング（ＢＰＳＫ）変調を使用するサブＰＲＢ送信のために割り当てられた３つの割り当てられたサブキャリアのセットから２つの隣接サブキャリアを選択することを含む。いくつかの実施形態では、選択が選択された隣接サブキャリアが例えば、１つのセルから別のセルへと変化するようなものである。その際、干渉が分散される。【選択図】図８
2021532610.tif 000002
【特許請求の範囲】
【請求項１】
サブ物理リソースブロック（ＰＲＢ）送信を提供するための無線ノード（１０２、１０６、１１２）の動作方法であって、
離散フーリエ変換（ＤＦＴ）拡散長が２の３つの割り当てられたサブキャリアのセットのうち、２つの隣接サブキャリアのみを使用する、シングルキャリア周波数分割多元接続（ＳＣ−ＦＤＭＡ） Ｐｉ／２ ２値位相シフトキーイング（ＢＰＳＫ）変調を使用する、サブＰＲＢ送信のために割り当てられた３つのサブキャリアのセットから、２つの隣接サブキャリアを選択することを含む、方法。
【請求項２】
前記サブＰＲＢ送信に関連する１つ以上のタスクを実行することをさらに含む、請求項１に記載の方法。
【請求項３】
前記１つ以上のタスクを実行することは、ＤＦＴ拡散長が２の前記３つの割り当てられたサブキャリアのセットのうちの前記２つの選択された隣接サブキャリアのみを使用する、ＳＣ−ＦＤＭＡ Ｐｉ／２ ＢＰＳＫ変調を使用して前記サブＰＲＢ送信を実行することを含む、請求項２に記載の方法。
【請求項４】
前記１つ以上のタスクを実行することは、前記２つの選択された隣接サブキャリアを示す情報を別のノードに送信することを含む、請求項２に記載の方法。
【請求項５】
前記３つの割り当てられたサブキャリアのセットから前記２つの隣接サブキャリアを選択することは、前記サブＰＲＢ送信を割り当てたセルのセル識別子（ＩＤ）に基づいて前記２つの隣接サブキャリアを選択することを含む、請求項１から４のいずれか１項に記載の方法。
【請求項６】
前記サブＰＲＢ送信を割り当てた前記セルの前記セルＩＤに基づいて前記２つの隣接サブキャリアを選択することは、前記セルＩＤモジュロ２演算から得られる値に基づいて前記２つの隣接サブキャリアを選択することを含む、請求項５に記載の方法。
【請求項７】
前記２つの隣接サブキャリアは、前記値が「０」である場合には、前記３つの割り当てられたサブキャリアのセットの中で最も低いインデックスを有する２つのサブキャリアであり、前記値が「１」である場合には、前記３つの割り当てられたサブキャリアのセットの中で最も高いインデックスを有する２つのサブキャリアである、請求項６に記載の方法。
【請求項８】
前記セルＩＤは、０から５０３までの範囲の値である、請求項５から７のいずれか１項に記載の方法。
【請求項９】
前記３つの割り当てられたサブキャリアのセットから前記２つの隣接サブキャリアを選択することは、前記サブＰＲＢ送信を割り当てたセルが「偶数」であるか、または「奇数」であるかに基づいて、前記２つの隣接サブキャリアを選択することを含む、請求項１から４のいずれか１項に記載の方法。
【請求項１０】
前記３つの割り当てられたサブキャリアのセットから前記２つの隣接サブキャリアを選択することは、セルごとに前記２つの隣接サブキャリアをランダムに選択することを含む、請求項１から４のいずれか１項に記載の方法。
【請求項１１】
復調参照信号（ＤＭＲＳ）が、交互のパターンに従って、前記２つの選択された隣接サブキャリアにマッピングされる、請求項１から１０のいずれか１項に記載の方法。
【請求項１２】
復調参照信号（ＤＭＲＳ）が、決定論的の交互のパターンに従って、前記２つの選択された隣接サブキャリアにマッピングされる、請求項１から１０のいずれか１項に記載の方法。
【請求項１３】
復調参照信号（ＤＭＲＳ）が、所定のパターンに従って、前記２つの選択された隣接サブキャリアにマッピングされる、請求項１から１０のいずれか１項に記載の方法。
【請求項１４】
前記所定のパターンは、前記２つの選択された隣接サブキャリアの間で前記ＤＭＲＳのマッピングを交互にする周期的パターンである、請求項１３に記載の方法。
【請求項１５】
前記所定のパターンは、前記２つの選択された隣接サブキャリアの間でＤＭＲＳをマッピングする擬似ランダムパターンある、請求項１３に記載の方法。
【請求項１６】
復調参照信号（ＤＭＲＳ）は、所定の方法で、前記２つの選択された隣接サブキャリアのうちの１つのみにマッピングされる、請求項１から１０のいずれか１項に記載の方法。
【請求項１７】
ＤＭＲＳがマッピングされる前記２つの選択された隣接サブキャリアのうちの前記１つは、前記３つの割り当てられたサブキャリアのセットの中心サブキャリアである、請求項１６に記載の方法。
【請求項１８】
前記サブＰＲＢ送信を割り当てたセルが「偶数」か「奇数」かに基づいて、ＤＭＲＳがマッピングされる前記２つの選択された隣接サブキャリアのうちの前記１つを選択することをさらに含む、請求項１６に記載の方法。
【請求項１９】
復調参照信号（ＤＭＲＳ）が、所定の方法で前記２つの選択された隣接サブキャリアにマッピングされる、請求項１から１０のいずれか１項に記載の方法。
【請求項２０】
前記無線ノード（１０２、１０６、１１２）は、無線デバイス（１１２）である、請求項１から１９のいずれか１項に記載の方法。
【請求項２１】
ユーザデータを提供することと、
前記基地局への送信を介して前記ユーザデータをホストコンピュータに転送すること、
を更に含む、請求項２０に記載の方法。
【請求項２２】
前記無線ノード（１０２、１０６、１１２）は、基地局（１０２、１０６）である、請求項１から１９のいずれか１項に記載の方法。
【請求項２３】
ユーザデータを取得することと、
ホストコンピュータまたは無線デバイスへ前記ユーザデータを転送すること。
を更に含む、請求項２２に記載の方法。
【請求項２４】
サブ物理リソースブロック、ＰＲＢ（送信）を提供する無線ノード（１０２、１０６、１１２）であって、
前記無線ノード（１０２、１０６、１１２）に、離散フーリエ変換（ＤＦＴ）拡散長が２の３つの割り当てられたサブキャリアのセットの中から２つの隣接サブキャリアのみを使用する、シングルキャリア周波数分割多元接続（ＳＣ−ＦＤＭＡ） Ｐｉ／２ ２値位相シフトキーイング（ＢＰＳＫ）変調を使用する、サブＰＲＢ送信のために割り当てられた３つの割り当てられたサブキャリアのセットから、２つの隣接サブキャリアを選択させるように構成された処理回路（９０４、１００４、１２０２）を備える、無線ノード（１０２、１０６、１１２）。
【請求項２５】
前記処理回路（９０４、１００４、１２０２）は、前記無線ノード（１０２、１０６、１１２）に請求項２から２３のいずれか１項に記載の方法を実行させるようにさらに構成される、請求項２４に記載の無線ノード（１０２、１０６、１１２）。
【請求項２６】
サブ物理リソースブロック（ＰＲＢ）送信を提供するための無線ノード（１０２、１０６、１１２）であって、
離散フーリエ変換（ＤＦＴ）拡散長が２の３つの割り当てられたサブキャリアのセットの中から２つの隣接サブキャリアのみを使用する、シングルキャリア周波数分割多元接続（ＳＣ−ＦＤＭＡ） Ｐｉ／２ ２値位相シフトキーイング（ＢＰＳＫ）変調を使用する、サブＰＲＢ送信のために割り当てられた３つの割り当てられたサブキャリアのセットから、２つの隣接サブキャリアを選択するように適合された無線ノード（１０２、１０６、１１２）。
【請求項２７】
請求項２から２３のいずれか１項に記載の方法を実行するようにさらに適合される、請求項２６に記載の無線ノード（１０２、１０６、１１２）。
【発明の詳細な説明】
【技術分野】
【０００１】
関連する出願
本出願は、2018年2月1日に出願された仮特許出願第62／625,185号の利益を主張し、その開示は、その全体が参照により本明細書に組み込まれる。
【０００２】
本開示は、無線通信ネットワークにおけるサブ物理リソースブロック（ＰＲＢ）送信に関する。
【背景技術】
【０００３】
３ＧＰＰ（Third Generation Partnership Project）ＲＡＮ（Radio Access Network）プレナリ#７５では、ＬＴＥ（Long Term Evolution）のためのｅｆｅＭＴＣ（Enhanced Machine Type Communication）における新しいＷＩ（Work Item）が承認された［１］。ＷＩ説明（ＷＩＤ）［２］によれば、さらに拡張されるべきエリアの１つは、物理アップリンク共有チャネル（ＰＵＳＣＨ）スペクトル効率を増加させることを指す。
・ＰＵＳＣＨスペクトル効率の増加［ＲＡＮ１リ−ド、ＲＡＮ２、ＲＡＮ４］
〇例えば、サブ物理リソースブロック（ＰＲＢ）リソース割当て、サブＰＲＢ割当て内に３つ以上のサブキャリアなし。
【０００４】
ＲＡＮ１ #８８ｂｉｓでは、いくつかの企業がＰＵＳＣＨのスペクトル効率を高めるためにどの技術を使用すべきかについて予備的なシミュレ−ション結果とその見解を提供した。ＲＡＮ１ #８９では、一般的なシミュレ−ション仮定を使用した追加の結果、ならびに候補技術間の技術的比較が議論された。ＲＡＮ１ #９０ではＰＵＳＣＨスペクトル効率を高めるサブＰＲＢ技法を指定することに合意したが、ＲＡＮ１ #９０ｂｉｓでは企業がＰＵＳＣＨ上のサブＰＲＢのサポ−トの一部であるべき基本設計要素について議論し始めた。近年、ＲＡＮ１ #９１では、サブＰＲＢ送信によってサポートされるサブキャリアの数がカバレッジ拡張（ＣＥ）モ−ドＡおよびＢの両方に対するそれらのサポ−ト、ならびにいくつかの他の合意とともに合意された。
【０００５】
技術的背景として、サブＰＲＢ技術は、１８０キロヘルツ（ｋＨｚ）で作られたＰＲＢ内のサブキャリア割り当て粒度を増加させることによって、カバレッジ制限された（帯域幅制限されていない）ユーザ装置デバイス（ＵＥ）のスペクトル効率を改善する。例えば、サブＰＲＢ技術を使用することにより、２つの帯域制限低複雑性（ＢＬ）／ＣＥデバイスは、それらの各々が６つのサブキャリアで割り当てられた時、ＰＲＢ内に共存することができ、これは１００％のスペクトル効率改善であることを表す。同様に、４つのＢＬ／ＣＥデバイスをそれぞれ３つのサブキャリアで割り当てることができ、３００%のスペクトル効率改善をもたらした。
【０００６】
ＲＡＮ１は、近年、サブＰＲＢ送信が３つのタイプのサブキャリア割り当てをサポートすることに合意した:
・シングル（単一）キャリア周波数分割多元接続（ＳＣ−ＦＤＭＡ）直交位相シフトキーイング（ＱＰＳＫ）変調を用いる６つのサブキャリア
・ＳＣ−ＦＤＭＡ  ＱＰＳＫ変調を用いる３つのサブキャリア
・ＳＣ−ＦＤＭＡ Ｐｉ／２  ２値（バイナリ）位相シフトキーイング（ＢＰＳＫ）変調を用いる３つのサブキャリア。
【０００７】
上に挙げた最初の２つの割り当ては、他の３ＧＰＰ技術である狭帯域インタ−ネットオブシングス（ＮＢ−ＩｏＴ）では対応する事例があり、一方、３番目の割り当ては、ＮＢ−ＩｏＴに比べて新しいものであり、その代わりにシングルサブキャリアのケースがある。
【０００８】
周波数領域におけるリソース利用の低減は、典型的には時間領域におけるリソース利用を拡張することによって補償される。この原理は、基本送信持続時間（すなわち、リソースユニット（ＲＵ）長）が、割り当てられたサブキャリアの数の関数として決定される、ＰＵＳＣＨへのサブＰＲＢのサポ−トのために採用されている。ＰＵＳＣＨ上のサブＰＲＢ送信のためのサブキャリアの数は、３および６であることが合意されているが、正確なＲＵ長はまだ決定されていない。
【０００９】
１つのＰＲＢを介した通常のＰＵＳＣＨ送信では、１ミリ秒（ｍｓ） の間に各１５ｋＨｚの１２ 個のサブキャリア（つまり１８０ｋＨｚ）にわたってトランスポ−トブロック（ＴＢ） がマッピングされる（１ｍｓに１４個のＳＣ−ＦＤＭＡシンボルがあるため、合計１２×１４ = １６８ 個のリソースエレメント（ＲＥ） が占有される）。サブＰＲＢ送信において、フル（完全）ＰＲＢ割り当てで使用可能な同じ数のＲＥを保存することを目的として、「ＳＣ−ＦＤＭＡ  ＱＰＳＫ変調を用いる６サブキャリア」と「ＳＣ−ＦＤＭＡ  ＱＰＳＫ変調を用いる３サブキャリア」に対するＲＵ長は、｛６,３｝サブキャリアに対してそれぞれ｛２ｍｓ,４ｍｓ｝に等しいべきである。
【００１０】
一方、「ＳＣ−ＦＤＭＡ Ｐｉ／２ ＢＰＳＫ変調を用いた３つのサブキャリア」については、３つの割り当てられたサブキャリアのうち２つしか使用しないことが決定されているため、使用可能なＲＥの数が減少する。この点に関して、従来の３つのサブキャリア割り当てに関して使用可能なＲＥの数を制限されないように維持することは、６ｍｓに等しいＲＵ長を使用することを必要とする。しかしながら、６ｍｓに等しいＲＵ長は、サブＰＲＢ送信に使用される（有効である）サブフレ−ムの最大総数（すなわち、３２および２０４８）にあまり適しておらず、したがって、この場合のＲＵ長は代わりに、４ｍｓまたは８ｍｓのいずれかであり得る。４ｍｓに等しいＲＵ長は原則として必要とされるＲＵ長（すなわち、６ｍｓ）未満であり、したがって、８ｍｓに等しいＲＵ長はより良い選択である（たとえば、より良いコードレートを提供し、したがって、より大きなＴＢをサポートすることを可能にする）。
【００１１】
さらに、「ＳＣ−ＦＤＭＡ Ｐｉ／２ ＢＰＳＫ変調を用いる３つのサブキャリア」に対して、このタイプの割り当てが有するべきある特性を定義する一組の合意がある［３］:
2021532610.tif 000003
【００１２】
「ＳＣ−ＦＤＭＡ Ｐｉ／２ ＢＰＳＫ変調を用いる３サブキャリア」の割当ては、シングル（単一）トーンとしても知られるシングルサブキャリアの送信と同じピ−ク対平均電力比（ＰＡＰＲ）性能を提供するその能力により、ＰＵＳＣＨ上のサブＰＲＢ送信に対してサポートされることが合意された。これが機能するためには３つの割り当てられたサブキャリアのうち２つを使用する必要がある。そのため、トランシーバではＮ−高速フ−リエ変換（ＦＦＴ）の出力が２トーンＢＰＳＫをシングルトーンＢＰＳＫに変換する。
【００１３】
言い換えると、レガシ−ベースバンドＬＴＥ ＳＣ−ＦＤＭＡトランシ−バチェーンは本質的に変わらない。つまり、唯一の変更はＱＰＳＫ モジュ−ルをＢＰＳＫ モジュ−ルで「置き換える」ということである。「ＳＣ−ＦＤＭＡ Ｐｉ／２ ＢＰＳＫ変調を用いる３つのサブキャリア」の使用の背後にあるハイレベルの動作原理を以下に示す。ここでは、利用されるサブキャリアの数Ｎ = ２ である。
０ ０ → ＢＰＳＫ変調器 → ｛１; １｝ → Ｎ−ＦＦＴ → ｛２;０｝ → ... 
０ １ → ＢＰＳＫ変調器 → ｛１; −１｝ → Ｎ−ＦＦＴ → ｛０;２｝→... 
１ ０ → ＢＰＳＫ変調器 → ｛−１; １｝ → Ｎ−ＦＦＴ → ｛０;−２｝→... 
１ １ → ＢＰＳＫ変調器 → ｛−１;−１｝ → Ｎ−ＦＦＴ → ｛−２;０｝→... 
【００１４】
上の図から、「ＳＣ−ＦＤＭＡ Ｐｉ／２ ＢＰＳＫ変調を用いる３つのサブキャリア」は、すべての場合にシングルトーンベースバンド信号をＮ−ＦＦＴの出力として提供することがわかる。
【００１５】
「ＳＣ−ＦＤＭＡ Ｐｉ／２ ＢＰＳＫ変調を用いる３つのサブキャリア」が「離散フーリエ変換（ＤＦＴ）拡散長（スプレッド長）が２の３つの割り当てられたサブキャリアのうち、２つの隣接サブキャリアのみ」を使用する理由が一旦記述されると、解決すべき他の技術的側面が存在する。
【発明の概要】
【００１６】
サブ物理リソースブロック（ＰＲＢ）送信に使用されるサブキャリアを選択し、いくつかの実施形態では、選択されたサブキャリア上のリソースに復調参照信号（ＤＭＲＳ）をマッピングするためのシステムおよび方法が開示される。いくつかの実施形態では、サブＰＲＢ送信を提供するための無線ノードの動作方法は、離散フーリエ変換（ＤＦＴ）拡散長が２の３つの割り当てられたサブキャリアのセットのうちの２つのみを使用するシングルキャリア周波数分割多元接続（ＳＣ−ＦＤＭＡ）Ｐｉ／２二値位相シフトキーイング（ＢＰＳＫ）変調を用いるサブＰＲＢ送信のために割り当てられた３つの割り当てられたサブキャリアのセットから２つの隣接サブキャリアを選択することを含む。いくつかの実施形態では、３つの割り当てられたサブキャリアのうちの２つのサブキャリアの選択が、選択された隣接サブキャリアが例えば、１つのセルから別のセルへと変化するようなものである。その際、干渉が分散される。
【００１７】
いくつかの実施形態では、方法は、サブＰＲＢ送信に関連する１つ以上のタスクを実行することをさらに含む。いくつかの実施形態では、１つ以上のタスクを実行することは、ＤＦＴ拡散長が２の３つの割り当てられたサブキャリアのセットのうちの２つの選択された隣接サブキャリアのみを使用する、ＳＣ−ＦＤＭＡ Ｐｉ／２ ＢＰＳＫ変調を使用してサブＰＲＢ送信を実行することを含む。いくつかの他の実施形態では、１つ以上のタスクを実行することは、２つの選択された隣接サブキャリアを示す情報を別のノードに送信することを含む。
【００１８】
いくつかの実施形態では、３つの割り当てられたサブキャリアのセットから２つの隣接するサブキャリアを選択することは、サブＰＲＢ送信を割り当てたセルのセル識別子（ＩＤ）に基づいて２つの隣接するサブキャリアを選択することを含む。さらに、いくつかの実施形態では、サブＰＲＢ送信を割り当てたセルのセルＩＤに基づいて２つの隣接サブキャリアを選択することは、セルＩＤモジュロ２に等しい値に基づいて２つの隣接サブキャリアを選択することを含む。また、いくつかの実施態様において、セルＩＤモジュロ２動作から得られる値が「０」であれば、隣接する２つのサブキャリアは割り当てられた３つのサブキャリアのセットの中で最も低いインデックスを有する２つのサブキャリアであり、セルＩＤモジュロ２動作から得られる値が「１」であれば、隣接する２つのサブキャリアは、割り当てられた３つのサブキャリアのセットの中で最も高いインデックスを有する２つのサブキャリアである。いくつかの実施形態では、セルＩＤが０〜５０３の範囲の値である。
【００１９】
いくつかの実施形態では、３つの割り当てられたサブキャリアのセットから２つの隣接するサブキャリアを選択することは、サブＰＲＢ送信を割り当てたセルが「偶数」であるか、または「奇数」であるかに基づいて、２つの隣接するサブキャリアを選択することを含む。
【００２０】
いくつかの実施形態では、３つの割り当てられたサブキャリアのセットから２つの隣接するサブキャリアを選択することは、セルごとに２つの隣接するサブキャリアをランダムに選択することを備える。
【００２１】
いくつかの実施形態では、ＤＭＲＳが交互のパターンに従って、２つの選択された隣接サブキャリアにマッピングされる。いくつかの実施形態では、交互のパターンは決定論的（deterministic）である。
【００２２】
いくつかの実施形態では、ＤＭＲＳが所定のパターンに従って、２つの選択された隣接サブキャリアにマッピングされる。いくつかの実施形態では、所定のパターンは、２つの選択された隣接サブキャリアの間でＤＭＲＳのマッピングを交互にする周期的パターンである。いくつかの他の実施形態では、所定のパターンは、２つの選択された隣接サブキャリアの間でＤＭＲＳをマッピングする擬似ランダムパターンである。
【００２３】
いくつかの実施形態では、ＤＭＲＳが所定の方法で、２つの選択された隣接サブキャリアのうちの１つのみにマッピングされる。いくつかの実施形態では、ＤＭＲＳがマッピングされる２つの選択された隣接サブキャリアのうちの１つは、３つの割り当てられたサブキャリアのセットの中心サブキャリアである。いくつかの他の実施形態では、方法は、サブＰＲＢ送信を割り当てたセルが「偶数」であるか、または「奇数」であるかに基づいて、ＤＭＲＳがマッピングされる２つの選択された隣接サブキャリアのうちの１つを選択することをさらに含む。
【００２４】
いくつかの実施形態では、ＤＭＲＳは、所定の方法で２つの選択された隣接サブキャリアにマッピングされる。
【００２５】
いくつかの実施形態では、無線ノードは無線デバイスである。いくつかの実施形態では、方法がユーザデータを提供することと、基地局への送信を介してユーザデータをホストコンピュータに転送することとをさらに含む。
【００２６】
いくつかの他の実施形態では、無線ノードは基地局である。いくつかの実施形態では、方法はさらに、ユーザデータを取得し、ユーザデータをホストコンピュータまたは無線デバイスに転送することを含む。
【００２７】
無線ノードの実施形態も開示される。いくつかの実施形態では、サブＰＲＢ送信を提供するための無線ノードは、ＤＦＴ拡散長が２の（２の拡散長を有する／２の拡散長を用いる）３つの割り当てられたサブキャリアのセットのうちの２つの隣接するサブキャリアのみを使用するＳＣ−ＦＤＭＡ Ｐｉ／２ ＢＰＳＫ変調を使用するサブＰＲＢ送信のために割り当てられた３つの割り当てられたサブキャリアのセットから２つの隣接するサブキャリアを無線ノードに選択させるように構成された処理回路を含む。
【００２８】
いくつかの実施形態では、サブＰＲＢ送信を提供するための無線ノードが、ＤＦＴ拡散長が２の３つの割り当てられたサブキャリアのセットのうちの２つの隣接するサブキャリアのみを使用するＳＣ−ＦＤＭＡ Ｐｉ／２ ＢＰＳＫ変調を使用するサブＰＲＢ送信のために割り当てられた３つの割り当てられたサブキャリアのセットから２つの隣接するサブキャリアを選択するようになっている。
【図面の簡単な説明】
【００２９】
本明細書に組み込まれ、その一部を形成する添付の図面は本開示のいくつかの態様を示し、説明とともに本開示の原理を説明するのに役立つ。
【図１】図１は、本開示の実施形態を実施することができるセルラー通信ネットワークの一例を示す。
【図２】図２は、本開示のいくつかの実施形態による、シングルキャリア周波数分割多元接続（ＳＣ−ＦＤＭＡ）Ｐｉ／２ ２値位相シフトキーイング（ＢＰＳＫ）変調を使用してサブ物理リソースブロック（ＰＲＢ）送信のための３つの割り当てられたサブキャリアのうちの２つの選択の一例を示す。
【図３】、
【図４】、
【図５】、
【図６】、
【図７】図３〜図７は、本開示の様々な実施形態による、ＳＣ−ＦＤＭＡ Ｐｉ／２ ＢＰＳＫ変調を用いるサブＰＲＢ送信のために３つの割り当てられたサブキャリアのうちの２つを使用する場合の復調参照信号（ＤＭＲＳ）マッピングの例を示す。
【図８】本開示のいくつかの実施形態による、ＳＣ−ＦＤＭＡ／２ ＢＰＳＫ変調を用いるサブＰＲＢ送信のための無線ノードの動作を図示するフローチャートである。
【図９】図９は、本開示のいくつかの実施形態による無線アクセスノードの概略ブロック図である。
【図１０】図１０は、本開示のいくつかの実施形態による無線アクセスノードの仮想化された実施形態を示す概略ブロック図である。
【図１１】図１１は、本開示のいくつかの他の実施形態による無線アクセスノードの概略ブロック図である。
【図１２】図１２は、本開示のいくつかの実施形態によるユーザ装置（ＵＥ）の概略ブロック図である。
【図１３】図１３は、本開示のいくつかの他の実施形態によるＵＥの概略ブロック図である。
【図１４】図１４は、本開示のいくつかの実施形態による通信システムを示す。
【図１５】図１５は本開示のいくつかの実施形態によるＵＥ、基地局、およびホストコンピュータを示す。
【図１６】、
【図１７】、
【図１８】、
【図１９】図１６から図１９は、本開示の様々な実施形態による通信システムにおいて実施される方法を示すフローチャートである。
【発明を実施するための形態】
【００３０】
以下に記載される実施形態は当業者が実施形態を実施し、実施形態を実施する最良の形態を示すことを可能にする情報を表す。添付の図面に照らして以下の説明を読むと、当業者は本開示の概念を理解し、本明細書で特に対処されないこれらの概念の適用を認識するのであろう。これらの概念およびアプリケーションは、本開示の範囲内にあることを理解されたい。
【００３１】
一般に、本明細書で使用されるすべての用語は異なる意味が明確に与えられ、かつ／またはそれが使用される文脈から暗示されない限り、関連する技術分野におけるそれらの通常の意味に従って解釈されるべきである。a／an／the要素、装置、コンポ−ネント、手段、ステップなどへの言及はすべて、特に明記しない限り、要素、装置、コンポ−ネント、手段、ステップなどの少なくとも１つのインスタンスを指すものとして開放的に解釈されるべきである。本明細書に開示される任意の方法のステップはステップが別のステップの後または前として明示的に記載されていない限り、および／またはステップが別のステップの後または前になければならないことが暗黙的である場合、開示される正確な順序で実行される必要はない。本明細書に開示される実施形態のいずれかの任意の特徴は、適切な場合には任意の他の実施形態に適用されてもよい。同様に、任意の実施形態の任意の利点は任意の他の実施形態に適用することができ、その逆も同様である。添付の実施形態の他の目的、特徴、および利点は、以下の説明から明らかになるのであろう。
【００３２】
ここで、本明細書で企図される実施形態のいくつかを、添付の図面を参照してより完全に説明する。しかしながら、他の実施形態は本明細書に開示された主題の範囲内に含まれ、開示された主題は本明細書に記載された実施形態のみに限定されると解釈されるべきではなく、むしろ、これらの実施形態は主題の範囲を当業者に伝えるために例として提供される。
【００３３】
無線ノード：本明細書で使用されるように、「無線ノード」は無線アクセスノードまたは無線デバイスのいずれかである。
【００３４】
無線アクセスノード：本明細書で使用されるように、「無線アクセスノード」または「無線ネットワークノード」は、信号を無線で送信および／または受信するように動作するセルラー通信ネットワークの無線アクセスネットワークにおける任意のノードである。無線アクセスノードのいくつかの例は基地局（例えば、３ＧＰＰ（Third Generation Partnership Project）５Ｇ（Fifth Generation）Ｎｅｗ  Ｒａｄｉｏ（ＮＲ）ネットワークにおけるＮＲ基地局（ｇＮＢ）、または３ＧＰＰ  ＬＴＥ（Long Term Evolution）ネットワークにおける拡張または進化型ノードＢ（ｅＮＢ））、高電力またはマクロ基地局、低電力基地局（例えば、マイクロ基地局、ピコ基地局、ホ−ムｅＮＢなど）、およびリレ−（中継）ノードを含むが、これらに限定されない。
【００３５】
コアネットワークノード：本明細書で使用されるように、「コアネットワークノード」は、コアネットワークにおける任意のタイプのノードである。コアネットワークノードの例としては、例えば、モビリティ・マネジメント・エンティティ（ＭＭＥ）、パケットデータネットワークゲートウェイ（Ｐ−ＧＷ）、サ−ビス能力露出機能（ＳＣＥＦ）等が挙げられる。
【００３６】
無線デバイス：本明細書で使用されるように、「無線デバイス」は（１つまたは複数の）無線アクセスノードに信号を無線に送信および／または受信することによって、セルラー通信ネットワークにアクセスする（すなわち、セルラー通信ネットワークによってサ−ビスされる）任意のタイプのデバイスである。無線デバイスのいくつかの例は、３ＧＰＰネットワークにおけるユーザ装置（ＵＥ）およびマシンタイプ通信（ＭＴＣ）装置を含むが、これらに限定されない。
【００３７】
ネットワークノード：本明細書で使用されるように、「ネットワークノード」は、無線アクセスネットワークの一部であるか、またはセルラー通信ネットワーク／システムのコアネットワークである任意のノードである。
【００３８】
本明細書で与えられる説明は、３ＧＰＰセルラー通信システムに焦点を当てており、したがって、３ＧＰＰ用語または３ＧＰＰ用語に類似する用語がしばしば使用されることに留意されたい。しかしながら、本明細書で開示される概念は、３ＧＰＰシステムに限定されない。
【００３９】
本明細書の説明では、「セル」という用語を参照することができるが、特に５Ｇ ＮＲ概念に関してはセルの代わりにビームを使用することができ、したがって、本明細書で説明する概念がセルおよびビームの両方に等しく適用可能であることに留意することが重要であることに留意されたい。
【００４０】
シングルキャリア周波数分割多元接続（ＳＣ−ＦＤＭＡ）Ｐｉ／２ ２値位相シフトキーイング（ＢＰＳＫ）変調を用いる３つのサブキャリアがサブ物理リソースブロック（ＰＲＢ）送信のために割り当てられる場合、３つの割り当てられたサブキャリアのうち、どの２つのサブキャリアがサブＰＲＢ送信のために使用されるべきかを選択するための機構が必要である。また、ＳＣ−ＦＤＭＡ Ｐｉ／２ ＢＰＳＫ変調を用いる３つのサブキャリアに対して、３つのサブキャリアを割り当てる場合に、狭帯域モノのインタ−ネット（ＮＢ−ＩｏＴ）用に設計された復調参照信号（ＤＭＲＳ）は、割り当てられた３つのサブキャリアのうち２つしか使用できないため、再使用できない。さらに、３つのサブキャリアのうち２つにわたるＤＭＲＳのサブキャリアマッピングは、（瞬時の）シングルトーン送信をもたらすはずである。
【００４１】
本開示およびそれらの実施形態の特定の態様は、上記または他の課題に対する解決策を提供することができる。
・「ＳＣ−ＦＤＭＡ Ｐｉ／２ ＢＰＳＫ変調を用いる３つのサブキャリア」に対して、「長さ２のＤＦＴ拡散を用いた３つの割り当てられたサブキャリアのうち、隣接する２つのサブキャリアのみ」の選択は、以下の代替のいずれかを介して行うことができる：
〇３つの割り当てられたサブキャリアのうちの２つのサブキャリアの選択は、サブＰＲＢ送信を割り当てたセルが「偶数」セルであるか、「奇数」セルであるかに基づく。
〇０〜５０３の範囲の物理セル識別子（ＰＣＩ）は、３つの割り当てられたサブキャリアのうちの２つを選択する方法として使用することができる。
〇３つの割り当てられたサブキャリアのうちの２つのサブキャリアの選択は、セル毎にランダムである。
・ＤＭＲＳは、以下の代替案のうちの少なくとも１つを考慮することによって、２つの使用されるサブキャリアの帯域幅内のリソース要素にマッピングされ得る：
〇ＤＭＲＳは常に、２つの使用可能なサブキャリアのうちの１つのみに、所定の方法でマッピングされる。
〇ＤＭＲＳは、サブＰＲＢ送信を割り当てたセルが偶数セルであるか奇数セルであるかに基づいて、２つの使用可能なサブキャリアのうちの１つのみにマッピングされる。
〇ＤＭＲＳは、使用される２つのサブキャリア間でＤＭＲＳのマッピングを交互にする周期的パターンを有する。
〇ＤＭＲＳパターンは、使用される２つのサブキャリアの間で交代する擬似ランダムシ−ケンスである。
【００４２】
物理アップリンク共有チャネル（ＰＵＳＣＨ）を介したサブＰＲＢ伝送の導入のために、ＳＣ−ＦＤＭＡ Ｐｉ／２ ＢＰＳＫ変調を用いる３つのサブキャリアが割り当てられ、３つの割り当てられたサブキャリアのうちの２つのみが使用される場合、本開示は、ＰＵＳＣＨを介したサブＰＲＢ送信のためのデータおよび復調参照信号を選択およびマッピングするための方法を提供する。３つの割り当てられたサブキャリアのうちの２つを選択するための提案された方法は、セルが偶数セルとして分類されるか奇数セルとして分類されるかに依存する決定に基づくこと、使用可能なサブキャリアを決定するためにＰＣＩを使用すること、またはセルごとに乱数発生器を使用することを含む、干渉をランダム化することを目的とする。他方、ＤＭＲＳのマッピングを実行するための方法は、２つの使用可能なトーンのうちの１つについての良好な推定値を得るために使用されることができ（例えば、ＤＭＲＳを搬送するリソース要素（ＲＥ）を予め決定すること）、またはいくつかの他の方法（例えば、交互ＤＭＲＳパターン、またはランダムＤＭＲＳのマッピング）は両方の使用可能なトーンについての推定値を得るために使用されることができる。
【００４３】
特定の実施形態は、以下の技術的利点のうちの１つまたは複数を提供することができる。
・所与のネットワークの展開セルの中で、離散フーリエ変換（ＤＦＴ）−拡散長２を有する３つの割り当てられたサブキャリアの中から、２つの隣接（隣接する）サブキャリアのみの選択を変えるために使用できるメカニズムを使用することは、干渉を分散させるのに役立つだろう。
・ＤＭＲＳの場合、利点は、解決策（ソリュ−ション）によって異なる。
〇ＤＭＲＳが予め定義された方法で、またはサブＰＲＢ送信を割り当てたセルが偶数セルであるか奇数セルであるかに基づいて、２つの使用可能なサブキャリアのうちの１つのみに常にマッピングされる場合、トーンのうちの１つのアップリンクチャネルの推定は、ベースラインと同じくらい良好である。
・予め定義された解決策では、３つの割り当てられたサブキャリアのうちの中心にあるサブキャリアが中心にあるサブキャリアが常に使用されるので、どの２つの隣接サブキャリアが使用されるかを知ることにかかわらず、ＤＭＲＳを搬送するために使用されることができる。
〇ＤＭＲＳが２つの使用されるサブキャリアの間でＤＭＲＳのマッピングを交互にする決定論的のパターンを有する場合、トーン当たりのチャネル推定値の数はベースラインと比較して半分になるが、それでも、両方のトーンについてアップリンクチャネルの推定値を取得することが可能である。
〇ＤＭＲＳのマッピングが、２つの使用されたサブキャリアの間でランダムに交換（commute）する場合、各トーンのチャネル推定値の数は（すなわち、ランダム性のために）不均衡になる可能性があるが、それでも、両方のトーンのアップリンクチャネルの推定値を取得することが可能である。
【００４４】
図１は、本開示のいくつかの実施形態によるセルラー通信ネットワーク１００の一例を示す。本明細書で説明する実施形態では、セルラー通信ネットワーク１００は、５Ｇ ＮＲネットワークまたはＬＴＥネットワークである。この例では、セルラー通信ネットワーク１００が基地局１０２−１および１０２−２を含み、ＬＴＥではｅＮＢと呼ばれ、５Ｇ ＮＲではｇＮＢと呼ばれ、対応するマクロセル１０４−１および１０４−２を制御する。基地局１０２−１および１０２−２は本明細書では一般に、集合的に基地局１０２と呼ばれ、個別に基地局１０２と呼ばれる。同様に、マクロセル１０４−１および１０４−２は本明細書では一般に、集合的にマクロセル１０４と呼ばれ、個別にマクロセル１０４と呼ばれる。セルラー通信ネットワーク１００はまた、対応する小セル１０８−１〜１０８−４を制御する多数の低電力ノード１０６−１〜１０６−４を含む。低電力ノード１０６−１〜１０６−４は、小型（スモール）基地局（ピコまたはフェムト基地局など）または遠隔無線ヘッド（ＲＲＨ）などとすることができる。特に、図示されていないが、スモールセル１０８−１〜１０８−４のうちの１つ以上は代替的に、基地局１０２によって提供されてもよい。低電力ノード１０６−１〜１０６−４は一般に、本明細書では総称して低電力ノード１０６と呼び、個々に低電力ノード１０６と呼ぶ。同様に、スモールセル１０８−１〜１０８−４は、本明細書では全体としてスモールセル１０８と呼ばれ、個々にスモールセル１０８と呼ばれる。基地局１０２（および任意選択で低電力ノード１０６）は、コアネットワーク１１０に接続される。
【００４５】
基地局１０２および低電力ノード１０６は、対応するセル１０４および１０８における無線デバイス１１２−１〜１１２−５にサ−ビスを提供する。無線デバイス１１２−１〜１１２−５は、本明細書では全体として無線デバイス１１２と呼ばれ、個別に無線デバイス１１２と呼ばれる。無線デバイス１１２は、本明細書ではＵＥとも呼ばれることがある。
【００４６】
本開示は、一組のＮＡの割り当てれらたサブキャリア（ＮＡの割り当てれらたサブキャリアのセット）が割り当てられ、ＮＡの割り当てられたサブキャリアのＮＳの隣接サブキャリアのみを使用する変調を使用するサブＰＲＢ送信に関する。ここで、ＮＳ＜ＮＡである。本明細書で説明される好ましい実施形態では、変調は、２のＤＦＴ拡散長を有する３つの割り当てられたサブキャリアのうちの２つの隣り合うサブキャリアのみを使用するＳＣ−ＦＤＭＡ Ｐｉ／２ ＢＰＳＫ変調である（すなわち、ＮＳ = ２およびＮＡ = ３）。しかしながら、本明細書に記載される実施形態は、それに限定されない。ＮＡの割り当てられたサブキャリアからＮＳの隣接サブキャリアを選択するための実施形態が本明細書で開示される（例えば、以下のセクションＩ（Ａ）〜Ｉ（Ｃ）を参照されたい）。ＤＭＲＳを、選択された隣接サブキャリアにマッピングするための実施形態も開示される（例えば、以下のセクションＩＩ（Ａ）〜ＩＩ（Ｄ）を参照されたい）。
【００４７】
Ｉ．３つのサブキャリアのうち２つのサブキャリアの選択
ＳＣ−ＦＤＭＡ Ｐｉ／２ ＢＰＳＫ変調を用いる３つのサブキャリアに対して、拡散長が２のＤＦＴを用いる３つの割り当てられたサブキャリアのうち、隣接する２つのサブキャリアのみの選択は、以下のサブセクションＡ、Ｂ、およびＣに記載される任意の代替案を通して実行可能である。
【００４８】
図２は、３つの割り当てられたサブキャリアのうちの２つの隣接サブキャリアがＰＵＳＣＨを介してサブＰＲＢ送信を行うために選択された１つの例を示す。特に、図２は、３つのうちの２つのみが使用される場合の、３つのサブキャリアからなるサブキャリア割り当ての例を示し、ここで、リソースユニット（ＲＵ）長が８ミリ秒（ｍｓ）である。「データを搬送するために使用可能なリソース要素」では、シングルトーン状の送信が２つの使用可能なトーンのいずれかに現れることができ、これはＮ高速フーリエ変換（ＦＦＴ）の出力において、サブキャリアのいずれか（すなわち、｛２;０｝または｛０;２｝または｛０;−２｝または｛−２;０｝）上のシングルトーン送信を生成するトランシ−バチェーンの入力において与えられるビットに依存することに留意されたい。
【００４９】
したがって、ＤＭＲＳのマッピングを実行するための唯一の考慮事項は、送信がシングルトーン送信であることを確認することである。
【００５０】
Ａ．３つの割り当てられたサブキャリアのうちの２つの選択は、サブＰＲＢ送信が割り当てられたセルが偶数セルであるか奇数セルであるかに基づく
例えば、セルの識別子の手段によって、偶数または奇数セルのいずれかに分類されたセルは、３つの割り当てられたサブキャリアのうちノードの２つの隣り合うサブキャリアが利用されるかを決定するために、そのような分類を利用することができる。
【００５１】
例えば、「偶数セル」として分類されたセルについては、最も低いインデックスを有するサブキャリアは利用されず、「奇数セル」として分類されたセルについては、最も高いインデックスを有するサブキャリアは利用されない。すなわち：
・所与のデバイスにサブキャリア#０、#１、および#２を割り当てた「偶数セル」は、サブキャリア#０を破棄するため、使用可能な３つのサブキャリアのうちの２つは、サブキャリア#１および#２になる。
・逆に、所与のデバイスにサブキャリア#０、#１、#２を割り当てた「奇数セル」は、サブキャリア#２を破棄するため、使用可能な３つのサブキャリアのうちの２つは、サブキャリア#０、#１となる。
【００５２】
上記は一例にすぎない。２つの使用可能なサブキャリアが互いに隣接したままである限り、異なる解釈は排除されない。例えば、以下の解釈は等しく有効である：「偶数セル」として分類されたセルについては、割り当てられたサブキャリアの中で最も低いのインデックスを有する２つのサブキャリアが利用され、「奇数セル」として分類されたセルについては、割り当てられたサブキャリアの中で最も高いインデックスを有するサブキャリアが利用される。
【００５３】
Ｂ．例えば、０から５０３までの範囲のＰＣＩは、３つの割り当てられたサブキャリアのうちの２つを選択する方法として使用されることができる
３つの割り当てられたサブキャリアのうちの２つを選択する別の方法は、例えば、０から５０３までの範囲のＰＣＩに基づくことができる。ＰＣＩを使用して、使用されないサブキャリア（例えば、Non_used_allocated_subcarrier = ｍｏｄ（ＰＣＩ,２））を決定するために、モジュロ（モジュラス）演算を適用することができる。
【００５４】
一見すると、「３」はモジュロ演算で使用される数（すなわち、ｍｏｄ（ＰＣＩ,３））であるべきであるが、それは時には中間にサブキャリアを使用しないことにつながるが、合意は２つの選択されたサブキャリアが隣接すべきであると述べている。したがって、ｍｏｄ（ＰＣＩ,２）が使用されるべきであり、例えば、「０」はサブキャリア#０が使用できないことを意味し、「１」はサブキャリア番号#２が使用できないことを意味することができる。
【００５５】
さらにまた、他の解釈も排除されない。ｍｏｄ（ＰＣＩ,２）動作の結果についての別の解釈は、例えば、「０」は割り当てられたサブキャリアの中で最も低いインデックスを有する２つのサブキャリアが利用されることを意味することができ、「１」は、３つの割り当てられたサブキャリアの中で最も高いインデックスを有する２つのサブキャリアが利用されることを意味することができる。
【００５６】
Ｃ．割り当てられた３つのサブキャリアのうちの２つのサブキャリアの選択は、セルごとにランダムである
３つの割り当てられたサブキャリアのうちの２つを選択するための別の代替案は、セルごとに異なるシ−ドを使用する乱数発生器を使用することに基づくことができる。例えば、
・発生器が離散分布に等しい「０」および「１」に等しい整数値を返す場合、上記のセクションである、、３つの割り当てられたサブキャリアのうちの２つの選択は、サブＰＲＢ送信が割り当てられたセルが偶数セルであるか奇数セルであるかに基づく、のセクションに記載された方法論は、「０」および「１」が偶数セルまたは奇数セルのいずれかの役割を果たす場合に従うことができる。
・他方、発生器が離散分布から引き出された擬似乱数整数値を返す場合、上記のセクションである、０から５０３までの範囲のＰＣＩは、３つの割り当てられたサブキャリアのうちの２つを選択する方法として使用されることができる、のセクションに記載された方法論は、乱数がＰＣＩの役割を果たす場合に従うことができる。
【００５７】
ＩＩ．２つの使用可能なサブキャリアのうちの１つにおけるＤＭＲＳのマッピング
ＤＭＲＳは、以下のサブセクションで説明される代替案のいずれかに従うことによって、２つの使用されるサブキャリアの帯域幅内のＲＥにマッピングされることができる。
Ａ．ＤＭＲＳは、所定の方法で使用可能な２つのサブキャリアにマッピングされる
このアプロ−チでは、ＤＭＲＳが予め定義された方法で２つの使用可能なサブキャリアに常にマッピングされ、これは２つのトーンのうちの１つに対するアップリンクチャネルの推定値がベースラインと同じくらい良好であることを意味する。図３は、３つの割り当てられたもの中の中心のサブキャリアが常に使用されるので、データを搬送するために、２つの隣接サブキャリア（図示の例ではサブキャリア#０及び#１）のどちらが使用されるのであろうかを知ることにかかわらず、ＤＭＲＳが中心のたサブキャリア（すなわち、サブキャリア#１）にマッピングされることが予め定められていた例を示す。具体的には、図３は、ＲＵの長さが８ｍｓである３つのうち２つのみを使用する場合と、ＤＭＲＳを所定の方法で１つのサブキャリアのみにマッピングする場合の、３つのサブキャリアからなるサブキャリア割り当ての例を示している。
【００５８】
別の例が図４に示されており、ここで、ＤＭＲＳは常に、使用されるサブキャリアの中のエッジに位置するサブキャリア、すなわち、図示された例ではサブキャリア#０にマッピングされる。代わりに、使用可能なサブキャリアがサブキャリア#１および#２であった場合、ＤＭＲＳがマッピングされるエッジにおけるキャリアは、サブキャリア#２であったことに留意されたい。より具体的には、図４は、３つのうち２つしか使用しない場合、ＲＵの長さが８ｍｓである場合、および使用可能なサブキャリアの中で最もインデックスの低いサブキャリアにＤＭＲＳをマッピングする場合の、３つのサブキャリアで構成されるサブキャリア割り当ての例を示している。
【００５９】
ＤＭＲＳを所定の方法で２つの使用可能なサブキャリアにマッピングする方法は、３つの割り当てられたサブキャリアのうちの２つを選択するために、上記のセクションである、３つの割り当てられたサブキャリアのうちの２つのサブキャリアの選択のセクションに記載された方法のうちのいずれかと組み合わせることができる。
【００６０】
Ｂ．ＤＭＲＳは、サブＰＲＢ送信を割り当てたセルが偶数セルであるか奇数セルであるかに基づいて、２つの使用可能なサブキャリアのうちの１つだけにマッピングされる
例えば、セルの識別子の手段によって、偶数セルまたは奇数セルのいずれかに分類されたセルは、どの２つの隣り合うサブキャリアがＤＭＲＳを搬送するために使用されるかを決定するために、そのような分類を利用することができる。
【００６１】
例えば、「偶数セル」に分類されたセルに対して、隣接する２つのサブキャリアの中で最も低いインデックスを有するサブキャリアをＤＭＲＳの搬送に用いることができる一方、「奇数セル」に分類されたセルに対して、隣接する２つのサブキャリアの中で最も高いインデックスを有するサブキャリアをＤＭＲＳの搬送に用いることができる。一例を図５に示す。図５は、３つのサブキャリアのうち２つしか使用されない場合、ＲＵの長さが８ｍｓであり、かつ、そのセルが「偶数セル」に分類された場合、利用可能なサブキャリアの中で最も低いインデックスを有するサブキャリアにＤＭＲＳがマッピングされる場合、３つのサブキャリアからなるサブキャリアの割り当ての例を示している。
【００６２】
さらに、この解決策は、上述の３つの割り当てられたサブキャリアのうちの２つを選択するための方法のいずれかと組み合わせることができる。一例では、セルが「偶数セル」として分類される場合、最も低いインデックスを有するサブキャリア（すなわち、サブキャリア#０）は利用されず、次いで、ＤＭＲＳを搬送するサブキャリアは残りの使用可能なサブキャリア（すなわち、サブキャリア#１）の中で最も低いインデックスを有するサブキャリアであるように選択され得、一方、セルが「奇数セル」として分類される場合、最も高いインデックスを有するサブキャリア（すなわち、サブキャリア#２）は利用されず、次いで、ＤＭＲＳを搬送するサブキャリアは残りの使用可能なサブキャリア（すなわち、サブキャリア#１）の中で最も高いインデックスを有するサブキャリアであるように選択され得る。この例ではサブキャリア#１が偶数セルおよび奇数セルの両方でＤＭＲＳに使用されることになるが、他の組合せは排除されない。
【００６３】
Ｃ．ＤＭＲＳは、２つの使用されるサブキャリア間のＤＭＲＳのマッピングを交互にする決定論的パターンを有する
ＤＭＲＳは、図６に示されるように、２つの使用されるサブキャリアの間でＤＭＲＳのマッピングを交互にする決定論的のパターンで構成することができる。この場合、トーン当たりのチャネル推定値の数は、ベースラインのチャネル推定値と比較して半分になるが、依然として、両方のトーンに対するアップリンクチャネルの推定値を得ることが可能である。より具体的には、図６は、３つのうち２つのみが使用される場合、ＲＵ長が８ｍｓである場合、及びＤＭＲＳが２つの使用可能なサブキャリアの間で交互にマッピングされる場合の、３つのサブキャリアからなるサブキャリアの割り当ての例を示す。
【００６４】
他の交互のパターンは排除されず、この解決策は、上述の３つの割り当てられたサブキャリアのうちの２つを選択するための方法のいずれかと組み合わせることができる。
【００６５】
いくつかの実施形態では、２つの使用されるサブキャリアがセル識別子（ＩＤ）に基づいて３つの割り当てられたサブキャリアから選択されるので、ＤＭＲＳのマッピングも、セルＩＤに基づいていると言うことができることに留意されたい。なぜならば、それらの実施形態では、ＤＭＲＳがマッピングされる２つのサブキャリアがセルＩＤに基づいて選択されるからである。
【００６６】
Ｄ．ＤＭＲＳのマッピングは、２つの使用されたサブキャリア間の擬似ランダムシ−ケンスに従って交換する
ＤＭＲＳのマッピングは、図７に示されるように、２つの使用されるサブキャリアの間の擬似ランダムシ−ケンスに従って交換（commute）させることができる。この場合、各トーンに対するチャネル推定値の数は不均衡になる可能性があるが（すなわち、ランダム値を取り出すために使用される分布に依存して、ランダム性のために）、依然として、両方のトーンに対するアップリンクチャネルの推定値を得ることが可能である。より具体的には、図７は、３つのうち２つのみが使用される場合、ＲＵ長が８ｍｓである場合、及びＤＭＲＳが使用可能な２つのサブキャリアの中でランダムにマッピングされる場合の、３つのサブキャリアからなるサブキャリア割り当ての例を示す。
【００６７】
ＤＭＲＳのマッピングは変化し、サブキャリアマッピングを実行するために使用されるＲＥを決定するランダム値を生成するために使用される分布に依存する。さらに、この解決策は、上記で説明した３つの割り当てられたサブキャリアのうちの２つを選択するための方法のいずれかと組み合わせることができる。
【００６８】
図８は、本開示のいくつかの実施形態による、無線ノード（例えば、基地局１０２、低電力ノード１０６、または無線デバイス１１２）の動作を示すフローチャートである。動作のステップ（工程）は、破線によって表される。図示されているように、無線ノードは、ＮＡの割り当てられたサブキャリアの中からＮＳの隣接サブキャリアのみを使用する変調を用いるサブＰＲＢ送信に対して割り当てられたＮＡ割り当てサブキャリアのセットから、隣接サブキャリアの数のＮＳを選択し、ここで、ＮＳ＞ＮＡである（ステップ８００）。言い換えると、無線ノードは、ＮＡの割り当てられたサブキャリアのセットからＮＳの隣接サブキャリアを選択する。対応するデータは、ＳＣ−ＦＤＭＡ Ｐｉ／２ＢＰＳＫ変調と２のＤＦＴ拡散長を経験（通過）する。上述のように、いくつかの好ましい実施形態では、３つの割り当てられたサブキャリア（すなわち、ＮＡ = ３）があり、変調は、ＤＦＴ拡散長が２の３つの割り当てられたサブキャリアのうちの２つ（すなわち、ＮＳ = ２）のみを使用するＳＣ−ＦＤＭＡ Ｐｉ／２ ＢＰＳＫ変調である。したがって、ステップ８００のいくつかの実施形態では、無線ノードは、ＤＦＴ拡散長が２の３つの割り当てられたサブキャリアのうちの２つの隣接サブキャリアのみを使用してＳＣ−ＦＤＭＡ Ｐｉ／２ ＢＰＳＫ変調を用いるサブＰＲＢ送信のために割り当てられた３つの割り当てられたサブキャリアのセットから、２つの隣接サブキャリアを選択する（ステップ８００Ａ）。無線ノードは、割り当てられたサブキャリアから、上述した実施形態のいずれかに従って、ＮＳ（例えば、２）の隣接サブキャリアを選択する。
【００６９】
任意選択で、無線ノードは、選択された隣接サブキャリアのＤＭＲＳのマッピングを決定する（ステップ８０２）。ＤＭＲＳのマッピングは、上述の実施形態のいずれかに従って決定されてもよい。任意選択で、無線ノードは、選択された隣接サブキャリア、および任意選択で、決定されたＤＭＲＳのマッピングを使用して１つ以上のタスクを実行する（ステップ８０４）。例えば、いくつかの実施形態では、無線ノードは、無線デバイス１１２であり、無線デバイス１１２は、選択された隣接サブキャリアを使用してサブＰＲＢ送信を実行する。サブＰＲＢ送信を実行するとき、無線デバイス１１２は、決定されたＤＭＲＳのマッピングに従って、選択された隣接サブキャリアにＤＭＲＳをマッピングする。別の例として、いくつかの実施形態では、無線ノードは、無線アクセスノード（例えば、基地局１０２または低電力ノード１０６）であり、無線アクセスノードは、選択された隣接サブキャリアの指標（インジケータ）、および任意選択で、ＤＭＲＳのマッピングを、別のノード（例えば、サブＰＲＢ送信が割り当てられる無線デバイス１１２）に送信する。
【００７０】
いくつかの例示的な実施形態は、以下の通りである。一実施形態では、ＳＣ−ＦＤＭＡ Ｐｉ／２ ＢＰＳＫ変調を用いる３つのサブキャリアに対して、長さ２のＤＦＴ拡散を有する３つの割り当てられたサブキャリアのうち、隣接する２つのサブキャリアのみの選択は、サブキャリアを割り当てたセルが偶数セルであるか奇数セルであるかに基づいて行われる（例えば、所与のデバイスにサブキャリア#０、#１、#２を割り当てた「偶数セル」は、サブキャリア#０を破棄し、従って、３つの使用可能なサブキャリアのうちの２つはサブキャリア#１と#２である）。
【００７１】
一実施形態では、ＳＣ−ＦＤＭＡ Ｐｉ／２ ＢＰＳＫ変調を用いる３つのサブキャリアに対して、長さ２のＤＦＴ拡散を有する３つの割り当てられたサブキャリアのうちの２つの隣接サブキャリアのみの選択は、使用されないサブキャリアを決定するためのモジュロ演算（例えば、Non_used_allocated_subcarrier = ｍｏｄ（ＰＣＩ,２））と共にＰＣＩに基づく。
【００７２】
一実施形態では、ＳＣ−ＦＤＭＡ Ｐｉ／２ ＢＰＳＫ変調を用いる３つのサブキャリアに対して、長さ２のＤＦＴ拡散を有する３つの割り当てられたサブキャリアの中から隣接する２つのサブキャリアのみの選択は、セルごとに異なるシ−ドを使用する乱数発生器の利用に基づいている。
【００７３】
一実施形態では、ＤＭＲＳは、２つの使用可能なトーンのうちの１つについて正確なチャネル推定値を得ることを目的として、所定の方法で２つの使用可能なサブキャリアのうちの１つのみに常にマッピングされる。この実施形態に関連して、３つの割り当てられたサブキャリアのうちの中心のサブキャリアは、中心のサブキャリアが常に使用されるので、どの２つの隣接サブキャリアが使用されるかを知ることにかかわらず、ＤＭＲＳを搬送するために使用することができる。
【００７４】
一実施形態では、ＤＭＲＳは、２つの使用可能なトーンのうちの１つに対する正確なチャネル推定値を取得することを目的として、サブＰＲＢ送信を割り当てたセルが偶数セルであるか奇数セルであるかに基づいて、２つの使用可能なサブキャリアのうちの１つのみにマッピングされる。
【００７５】
一実施形態では、ＤＭＲＳは、２つの使用可能なトーンに対するチャネル推定値を得ることを目的として、２つの使用されるサブキャリア間でＤＭＲＳのマッピングを交互にする決定論的のパターンを使用してマッピングされる。
【００７６】
一実施形態では、ＤＭＲＳは、２つの使用可能なトーンに対するチャネル推定値を得ることを目的として、２つの使用されるサブキャリア間で交換する擬似ランダム交互シ−ケンスを使用することによってマッピングされる。
【００７７】
一実施形態では、２つの使用可能なサブキャリアのＲＥ上にＤＭＲＳをマッピングするための方法は、３つの割り当てられたサブキャリアのうちの２つを選択するための方法を説明する実施形態と互換性がある。
【００７８】
図９は、本開示のいくつかの実施形態による無線アクセスノード９００の概略ブロック図である。無線アクセスノード９００は例えば、基地局１０２または１０６であってもよい。図示のように、無線アクセスノード９００は１つまたは複数のプロセッサ９０４（たとえば、中央演算処理装置（ＣＰＵ）、特定用途向け集積回路（ＡＳＩＣ）、フィールドプログラマブルゲートアレイ（ＦＰＧＡ）など）、メモリ９０６、およびネットワークインターフェース９０８を含む制御システム９０２を含む。さらに、無線アクセスノード９００は、１つまたは複数のアンテナ９１６に結合された１つまたは複数の送信機９１２および１つまたは複数の受信機９１４をそれぞれ含む１つまたは複数の無線ユニット９１０を含む。いくつかの実施形態では、無線ユニット９１０が制御システム９０２の外部にあり、例えば、有線接続（例えば、光ケ−ブル）を介して制御システム９０２に接続される。しかしながら、いくつかの他の実施形態では、無線ユニット９１０および潜在的にアンテナ９１６が制御システム９０２と一体化される。１つ以上のプロセッサ９０４は本明細書に記載するように、無線アクセスノード９００の１つ以上の機能を提供するように動作する。ある実施形態では、機能は、例えばメモリ９０６に記憶され、１つ以上のプロセッサ９０４によって実行されるソフトウェアで実現される。
【００７９】
図１０は、本開示のいくつかの実施形態による無線アクセスノード９００の仮想化された実施形態を示す概略ブロック図である。この議論は、他のタイプのネットワークノードにも同様に適用可能である。さらに、他のタイプのネットワークノードは、同様の仮想化ア−キテクチャを有することができる。
【００８０】
本明細書で使用されるように、「仮想化」無線アクセスノードは、無線アクセスノード９００の機能性の少なくとも一部が仮想コンポ−ネントとして（例えば、ネットワーク内の物理処理ノード上で実行される仮想マシンを介して）実装される無線アクセスノード９００の実装である。図示のように、この例では、無線アクセスノード９００は、上述のように、１つまたは複数のプロセッサ９０４（たとえば、ＣＰＵ、ＡＳＩＣ、ＦＰＧＡなど）、メモリ９０６、およびネットワークインターフェース９０８を含む制御システム９０２と、１つまたは複数のアンテナ９１６に結合された１つまたは複数の送信機（ＴＸ）９１２および１つまたは複数の受信機（ＲＸ）９１４をそれぞれ含む１つまたは複数の無線ユニット９１０とを含む。制御システム９０２は、例えば光ケ−ブル等を介して無線ユニット９１０に接続されている。制御システム９０２は、ネットワークインターフェース９０８を介してネットワーク１００２に結合されるか、またはその一部として含まれる１つ以上の処理ノード１０００に接続される。各処理ノード１０００は１つまたは複数のプロセッサ１００４（例えば、ＣＰＵ、ＡＳＩＣ、ＦＰＧＡなど）、メモリ１００６、およびネットワークインターフェース１００８を含む。
【００８１】
この例では、本明細書に記載する無線アクセスノード９００の機能１０１０は、任意の所望の方法で、制御システム９０２および１つ以上の処理ノード１０００に分散された１つ以上の処理ノード１０００で実現される。いくつかの特定の実施形態では、本明細書で説明される無線アクセスノード９００の機能１０１０のいくつかまたはすべては、処理ノード１０００によってホストされる仮想環境で実装される１つまたは複数の仮想マシンによって実行される仮想コンポ−ネントとして実装される。当業者には理解されるように、処理ノード１０００と制御システム９０２との間の追加のシグナリングまたは通信は、所望の機能１０１０の少なくともいくつかを実行するために使用される。特に、いくつかの実施形態では、制御システム９０２は含まれなくてもよく、その場合、無線ユニット９１０は適切なネットワークインターフェースを介して処理ノード１０００と直接通信する。
【００８２】
いくつかの実施形態では、少なくとも１つのプロセッサによって実行されるとき、本明細書に記載するいずれかの実施形態に従った仮想環境で無線アクセスノード９００の１つ以上の機能１０１０を実装するノード（例えば、処理ノード１０００）または無線アクセスノード９００の機能を少なくとも１つのプロセッサに実行させる命令を含むコンピュータプログラムが提供される。いくつかの実施形態では、前述のコンピュータプログラム製品を含むキャリアが提供される。キャリアは、電子信号、光信号、無線信号、またはコンピュータ可読記憶媒体（例えば、メモリなどの非一時的なコンピュータ可読媒体）のうちの１つである。
【００８３】
図１１は、本開示のいくつかの他の実施形態による無線アクセスノード９００の概略ブロック図である。無線アクセスノード９００は、１つ以上のモジュール１１００を含み、それぞれがソフトウェアで実装される。モジュ−ル１１００は、本明細書で説明する無線アクセスノード９００の機能を提供する。この議論は図１０の処理ノード１０００に等しく適用可能であり、ここで、モジュ−ル１１００は処理ノード１０００の１つで実装されてもよいし、複数の処理ノード１０００に分散されてもよく、および／または処理ノード１０００および制御システム９０２に分散されてもよい。
【００８４】
図１２は、本開示のいくつかの実施形態によるＵＥ１２００の概略ブロック図である。図示のように、ＵＥ１２００は、１つまたは複数のプロセッサ１２０２（たとえば、ＣＰＵ、ＡＳＩＣ、ＦＰＧＡなど）、メモリ１２０４、および１つまたは複数のアンテナ１２１２に結合された１つまたは複数の送信機１２０８および１つまたは複数の受信機１２１０をそれぞれ含む１つまたは複数のトランシ−バ１２０６を含む。いくつかの実施形態では、上述したＵＥ １２００の機能は、例えば、メモリ１２０４に格納され、プロセッサ１２０２によって実行されるソフトウェアにおいて、完全にまたは部分的に実装され得る。
【００８５】
いくつかの実施形態では、少なくとも１つのプロセッサによって実行されるときに、本明細書で説明される実施形態のうちのいずれかに従って、少なくとも１つのプロセッサにＵＥ １２００の機能を実行させる命令を含むコンピュータプログラムが提供される。いくつかの実施形態では、前述のコンピュータプログラム製品を含むキャリアが提供される。キャリアは、電子信号、光信号、無線信号、またはコンピュータ可読記憶媒体（例えば、メモリなどの非一時的なコンピュータ可読媒体）のうちの１つである。
【００８６】
図１３は、本開示のいくつかの他の実施形態によるＵＥ１２００の概略ブロック図である。ＵＥ１２００は１つ以上のモジュ−ル１３００を含み、それぞれがソフトウェアで実現される。モジュ−ル１３００は、本明細書で説明されるＵＥ１２００の機能を提供する。
【００８７】
図１４を参照すると、一実施形態によれば、通信システムは、無線アクセスネットワーク（ＲＡＮ）などのアクセスネットワーク１４０２と、コアネットワーク１４０４とを備える、３ＧＰＰタイプのセルラーネットワークなどの電気通信ネットワーク１４００を含む。アクセスネットワーク１４０２はノードＢ、ｅＮＢ、ｇＮＢ、または他のタイプの無線アクセスポイント（ＡＰ）などの複数の基地局１４０６Ａ、１４０６Ｂ、１４０６Ｃを備え、それぞれは対応するカバレッジエリア１４０８Ａ、１４０８Ｂ、１４０８Ｃを定義する。各基地局１４０６Ａ、１４０６Ｂ、１４０６Ｃは、有線または無線接続１４１０を介してコアネットワーク１４０４に接続可能である。カバレッジエリア１４０８Ｃに位置する第１のＵＥ１４１２は、対応する基地局１４０６Ｃと無線で接続されるか、またはページングされるように構成されている。カバレッジエリア１４０８Ａにおける第２のＵＥ１４１４は、対応する基地局１４０６Ａに無線で接続可能である。この例では複数のＵＥ１４１２、１４１４が示されているが、開示された実施形態は単一のＵＥがカバレッジエリアにある状況、または単一のＵＥが対応する基地局１４０６に接続している状況にも等しく適用可能である。
【００８８】
電気通信ネットワーク１４００は、それ自体がホストコンピュータ１４１６に接続されており、これは、スタンドアロンサ−バ、クラウド実装サ−バ、分散サ−バ、またはサーバファーム内の処理リソースのハ−ドウェアおよび／またはソフトウェアで実施されてもよい。ホストコンピュータ１４１６は、サ−ビスプロバイダの所有権または制御下にあってもよく、またはサ−ビスプロバイダによって、またはサ−ビスプロバイダの代わりに運用されてもよい。電気通信ネットワーク１４００とホストコンピュータ１４１６との間のコネクション１４１８および１４２０は、コアネットワーク１４０４からホストコンピュータ１４１６に直接拡張してもよく、あるいはオプションの中間ネットワーク１４２２を介してもよい。中間ネットワーク１４２２はパブリックネットワーク、プライベートネットワーク、またはホストネットワークのうちの１つ、または２つ以上の組合せとすることができ、中間ネットワーク１４２２はもしあれば、バックボ−ンネットワークまたはインタ−ネットとすることができ、特に、中間ネットワーク１４２２は、２つ以上のサブネットワーク（図示せず）を含むことができる。
【００８９】
図１４の通信システム全体は、接続されたＵＥ１４１２、１４１４とホストコンピュータ１４１６との間の接続性を可能にする。コネクション性は、オーバー・ザ・トップ（ＯＴＴ）コネクション１４２４として記述されうる。ホストコンピュータ１４１６および接続されたＵＥ１４１２、１４１４は、アクセスネットワーク１４０２、コアネットワーク１４０４、任意の中間ネットワーク１４２２、および可能なさらなるインフラストラクチャ（図示せず）を媒介として使用して、ＯＴＴコネクション１４２４を介してデータおよび／または信号を通信するように構成される。ＯＴＴコネクション１４２４は、ＯＴＴコネクション１４２４が通過する参加通信デバイスがアップリンク通信およびダウンリンク通信のル−ティングに気付かないという意味で、トランスペアレント（透過的）であり得る。例えば、基地局１４０６は、接続されたＵＥ１４１２に転送される（例えばハンドオーバされる）ホストコンピュータ１４１６から発信されるデータをもつ入ってくるダウンリンク通信の過去のル−ティングについて通知される必要があったり、そうでない場合がある。同様に、基地局１４０６は、ＵＥ１４１２からホストコンピュータ１４１６に向かう発信アップリンク通信の将来のル−ティングを知っている必要はない。
【００９０】
一実施形態による、前の段落で説明したＵＥ、基地局、およびホストコンピュータの例示的な実装を、図１５を参照して説明する。通信システム１５００では、ホストコンピュータ１５０２が通信システム１５００の異なる通信デバイスのインターフェースとの有線または無線接続をセットアップおよび維持するように構成された通信インターフェース１５０６を含むハ−ドウェア１５０４を備える。ホストコンピュータ１５０２は、記憶および／または処理能力を有することができる処理回路１５０８をさらに備える。特に、処理回路１５０８は、命令を実行するように適合された１つまたは複数のプログラマブルプロセッサ、ＡＳＩＣ、ＦＰＧＡ、またはこれらの組合せ（図示せず）を含んでもよい。ホストコンピュータ１５０２はホストコンピュータ１５０２に格納されているか、またはホストコンピュータ３３１０によってアクセス可能であり、処理回路１５０８によって実行可能なソフトウェア１５１０をさらに備える。ソフトウェア１５１０は、ホストアプリケーション１５１２を含む。ホストアプリケーション１５１２は、ＵＥ１５１４およびホストコンピュータ１５０２で終端するＯＴＴコネクション１５１６を介して接続するＵＥ１５１４などのリモートユーザにサ−ビスを提供するように動作可能であってもよい。リモートユーザにサ−ビスを提供する際に、ホストアプリケーション１５１２は、ＯＴＴコネクション１５１６を使用して送信されるユーザデータを提供することができる。
【００９１】
通信システム１５００はさらに、通信システム内に提供され、ホストコンピュータ１５０２およびＵＥ１５１４と通信することを可能にするハードウェア１５２０を備える基地局１５１８を含む。ハ−ドウェア１５２０は、通信システム１５００の異なる通信デバイスのインターフェースとの有線または無線接続をセットアップおよび維持するための通信インターフェース１５２２と、基地局１５１８によって提供されるカバレッジエリア（図１５には示されていない）に配置されたＵＥ１５１４との無線接続１５２６をセットアップおよび維持するための無線インターフェース１５２４とを含んでもよい。通信インターフェース１５２２は、ホストコンピュータ１５０２への接続１５２８を容易にするように構成することができる。接続１５２８は、直接的であってもよく、電気通信システムのコアネットワーク（図１５には示されていない）を通過してもよく、および／または電気通信システムの外部の１つ以上の中間ネットワークを通過してもよい。図示の実施形態では、基地局１５１８のハ−ドウェア１５２０が命令を実行するように適合された１つまたは複数のプログラマブルプロセッサ、ＡＳＩＣ、ＦＰＧＡ、またはこれらの組合せ（図示せず）を備えることができる処理回路１５３０をさらに含む。基地局１５１８は、内部に格納された、または外部接続を介してアクセス可能なソフトウェア１５３２をさらに有する。
【００９２】
通信システム１５００は、既に参照されたＵＥ１５１４をさらに含む。ＵＥの１５１４ハ−ドウェア１５３４は、ＵＥ１５１４が現在配置されているカバレッジエリアにサ−ビスを提供する基地局との無線接続１５２６をセットアップし維持するように構成された無線インターフェース１５３６を含んでもよい。ＵＥ １５１４のハ−ドウェア１５３４は、命令を実行するように適合された１つまたは複数のプログラマブルプロセッサ、ＡＳＩＣ、ＦＰＧＡ、またはこれらの組合せ（図示せず）を備えることができる処理回路１５３８をさらに含む。ＵＥ１５１４はＵＥ１５１４に格納されるか、またはＵＥ３３３０によってアクセス可能であり、処理回路１５３８によって実行可能であるソフトウェア１５４０をさらに備える。ソフトウェア１５４０は、クライアントアプリケーション１５４２を含む。クライアントアプリケーション１５４２は、ホストコンピュータ１５０２のサポ−トにより、ＵＥ１５１４を介して人間または非人間のユーザにサ−ビスを提供するように動作可能であってもよい。ホストコンピュータ１５０２において、ホストアプリケーション１５１２の実行は、ＵＥ１５１４およびホストコンピュータ１５０２で終端するＯＴＴコネクション１５１６を介して、実行クライアントアプリケーション１５４２と通信してもよい。ユーザにサ−ビスを提供する際に、クライアントアプリケーション１５４２は、ホストアプリケーション１５１２から要求データを受信し、要求データに応答してユーザデータを提供することができる。ＯＴＴコネクション１５１６は、要求データとユーザデータの両方を転送することができる。クライアントアプリケーション１５４２は、ユーザと相互作用して、それが提供するユーザデータを生成することができる。
【００９３】
図１５に示されるホストコンピュータ１５０２、基地局１５１８、およびＵＥ １５１４は、それぞれ、ホストコンピュータ１４１６、基地局１４０６Ａ、１４０６Ｂ、１４０６Ｃのうちの１つ、および図１４のＵＥ１４１２、１４１４のうちの１つと類似または同一であり得ることに留意されたい。すなわち、これらのエンティティの内部動作は図１５に示されるようなものであってもよく、独立して、周囲のネットワークトポロジは図１４のものであってもよい。
【００９４】
図１５では、ＯＴＴコネクション１５１６は、いかなる中間デバイスも明示的に参照することなく、基地局１５１８を介したホストコンピュータ１５０２とＵＥ１５１４との間の通信、およびこれらのデバイスを介したメッセージの正確なル−ティングを示すために抽象的に描かれている。ネットワークインフラストラクチャはＵＥ１５１４から、またはホストコンピュータ１５０２を操作するサ−ビスプロバイダから、あるいはその両方から隠すように構成されていてもよい、ル−ティングを決定してもよい。ＯＴＴコネクション１５１６がアクティブである間、ネットワークインフラストラクチャは、（例えば、負荷分散の考慮またはネットワークの再構成に基づいて）ル−ティングを動的に変更する決定をさらに行うことができる。
【００９５】
ＵＥ１５１４と基地局１５１８との間の無線接続１５２６は、本開示全体にわたって説明される実施形態の教示に従う。様々な実施形態のうちの１つまたは複数は、無線接続１５２６が最後のセグメントを形成するＯＴＴコネクション１５１６を使用して、ＵＥ１５１４に提供されるＯＴＴサ−ビスの性能を改善する。より正確には、これらの実施形態の教示は、例えば、データ速度、レイテンシ（待ち時間）、および／または電力消費を改善することができ、それによって、例えば、ユーザ待ち時間の短縮、ファイルサイズの緩和された制限、より良好な応答性、および／またはバッテリ寿命の延長などの利点を提供することができる。
【００９６】
測定手順は、データ速度、待ち時間、および１つまたは複数の実施形態が改善する他の要因を監視する目的で提供され得る。さらに、測定結果の変動に応答して、ホストコンピュータ１５０２とＵＥ １５１４との間のＯＴＴコネクション１５１６を再構成するためのオプションのネットワーク機能があってもよい。ＯＴＴコネクション１５１６を再構成するための測定手順および／またはネットワーク機能は、ホストコンピュータ１５０２のソフトウェア１５１０およびハ−ドウェア１５０４、あるいはＵＥ１５１４のソフトウェア１５４０およびハ−ドウェア１５３４、あるいはその両方で実現することができる。いくつかの実施形態では、センサ（図示せず）が、ＯＴＴコネクション１５１６が通過する通信デバイスに配備されるか、またはそれに関連して配備されてもよく、センサは上記で例示した監視量の値を供給することによって、またはソフトウェア１５１０、１５４０が監視量を計算または推定することができる他の物理量の値を供給することによって、測定手順に参加することができる。ＯＴＴコネクション１５１６の再構成は、メッセージフォーマット、再送信設定、好ましいル−ティングなどを含むことができ、再構成は、基地局１５１４に影響を及ぼす必要はなく、基地局１５１４には知られていないか、または知覚できないことがある。このような手順および機能性は当技術分野で公知であり、実践され得る。特定の実施形態では、測定がホストコンピュータ１５０２のスループット、伝搬時間、待ち時間などの測定を容易にする独自のＵＥシグナリングを含むことができる。測定は、ソフトウェア１５１０および１５４０が伝搬時間、エラーなどを監視しながら、ＯＴＴコネクション１５１６を使用して、メッセージ、特に空または「ダミー」メッセージを送信させることによって実施することができる。
【００９７】
図１６は、一実施形態による、通信システムにおいて実施される方法を示すフローチャートである。通信システムは、ホストコンピュータと、基地局と、ＵＥとを含み、ＵＥは、図１４および図１５を参照して説明したものとすることができる。本開示を簡単にするために、図１６に対する図面参照のみがこのセクションに含まれる。ステップ１６００において、ホストコンピュータはユーザデータを提供する。ステップ１６００のサブステップ１６０２（オプションであってもよい）において、ホストコンピュータは、ホストアプリケーションを実行することによって、ユーザデータを提供する。ステップ１６０４において、ホストコンピュータは、ユーザデータをＵＥに搬送する送信を開始する。ステップ１６０６（任意であってもよい）において、基地局は、本開示全体にわたって説明される実施形態の教示に従って、ホストコンピュータが開始した送信において搬送されたユーザデータをＵＥに送信する。ステップ１６０８（オプションであってもよい）において、ＵＥは、ホストコンピュータによって実行されるホストアプリケーションに関連付けられたクライアントアプリケーションを実行する。
【００９８】
図１７は、一実施形態による、通信システムにおいて実施される方法を示すフローチャートである。通信システムはホストコンピュータと、基地局と、ＵＥとを含み、ＵＥは、図１４および図１５を参照して説明したものとすることができる。本開示を簡単にするために、図１７に対する図面参照のみがこのセクションに含まれる。本方法のステップ１７００において、ホストコンピュータはユーザデータを提供する。オプションのサブステップ（図示せず）では、ホストコンピュータはホストアプリケーションを実行することによってユーザデータを提供する。ステップ１７０２において、ホストコンピュータは、ユーザデータをＵＥに搬送する送信を開始する。送信は、本開示全体にわたって説明される実施形態の教示に従って、基地局を介して渡され得る。ステップ１７０４（任意であってもよい）において、ＵＥは、送信において搬送されるユーザデータを受信する。
【００９９】
図１８は、一実施形態による、通信システムにおいて実施される方法を示すフローチャートである。通信システムはホストコンピュータと、基地局と、ＵＥとを含み、ＵＥは、図１４および図１５を参照して説明したものとすることができる。本開示を簡単にするために、図１８に対する図面参照のみがこのセクションに含まれる。ステップ１８００（任意選択であってもよい）において、ＵＥは、ホストコンピュータによって提供された入力データを受信する。さらに、または代替的に、ステップ１８０２で、ＵＥはユーザデータを提供する。ステップ１８００のサブステップ１８０４（オプションであってもよい）において、ＵＥは、クライアントアプリケーションを実行することによって、ユーザデータを提供する。ステップ１８０２のサブステップ１８０６（オプションであってもよい）において、ＵＥは、ホストコンピュータによって提供された受信入力データに反応してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、サブステップ１８０８で、ユーザデータのホストコンピュータへの送信を開始する。本方法のステップ１８１０において、ホストコンピュータは、本開示全体にわたって説明される実施形態の教示に従って、ＵＥから送信されたユーザデータを受信する。
【０１００】
図１９は、一実施形態による、通信システムにおいて実施される方法を示すフローチャートである。通信システムはホストコンピュータと、基地局と、ＵＥとを含み、ＵＥは、図１４および図１５を参照して説明したものとすることができる。本開示を簡単にするために、図１９に対する図面参照のみがこのセクションに含まれる。ステップ１９００（オプションであってもよい）において、本開示全体にわたって説明される実施形態の教示に従って、基地局は、ＵＥからユーザデータを受信する。ステップ１９０２（オプションであってもよい）において、基地局は、受信されたユーザデータのホストコンピュータへの送信を開始する。ステップ１９０４（任意であってもよい）において、ホストコンピュータは、基地局によって開始された送信において搬送されるユーザデータを受信する。
【０１０１】
本明細書で開示される任意の適切なステップ、方法、特徴、機能、または利益は、１つまたは複数の仮想装置の１つまたは複数の機能ユニットまたはモジュ−ルを介して実行され得る。各仮想装置は、いくつかのこれらの機能ユニットを備えることができる。これらの機能ユニットは、１つまたは複数のマイクロプロセッサまたはマイクロコントロ−ラを含むことができる処理回路、ならびにデジタルシグナルプロセッサ（ＤＳＰ）、専用デジタルロジックを含むことができる他のデジタルハ−ドウェアを介して実装することができる。処理回路は、読み出し専用メモリ（ＲＯＭ）、ランダムアクセスメモリ（ＲＡＭ）、キャッシュメモリ、フラッシュメモリデバイス、光記憶デバイスなどの１つまたは複数のタイプのメモリを含むことができる、メモリに格納されたプログラムコ−ドを実行するように構成することができる。メモリに格納されたプログラムコ−ドは、１つまたは複数の電気通信および／またはデータ通信プロトコルを実行するためのプログラム命令、ならびに本明細書で説明される技法のうちの１つまたは複数を実行するための命令を含む。いくつかの実装形態では、処理回路がそれぞれの機能ユニットに、本開示の１つまたは複数の実施形態による対応する機能を実行させるために使用され得る。
【０１０２】
図中のプロセスは本開示の特定の実施形態によって実行される動作の特定の順序を示してもよいが、そのような順序は例示的であることを理解されたい（例えば、代替の実施形態は異なる順序で動作を実行してもよく、特定の動作を組み合わせてもよく、特定の動作をオーバーラップしてもよいなど）。
【０１０３】
本開示のいくつかの例示的な実施形態は、以下の通りである：
グル−プＡの実施形態
【０１０４】
実施形態１：サブ物理リソースブロック（ＰＲＢ）送信を提供するための無線ノード（例えば、ユーザ装置デバイス（ＵＥ）（１１２）、または基地局（１０２、１０６））の動作方法であって、離散フ−リエ変換（ＤＦＴ）拡散長が２の３つの割り当てられたサブキャリアの（１つの）セットのうちの２つの隣接サブキャリアのみを使用する（使用して）、シングルキャリア周波数分割多元接続（ＳＣ−ＦＤＭＡ） Ｐｉ／２ 二値位相シフトキーイング（ＢＰＳＫ）変調を用いるサブＰＲＢ送信のために割り当てられた３つの割り当てられたサブキャリアのセットから２つの隣接サブキャリアを選択することを含む、方法。
【０１０５】
実施形態２：サブＰＲＢ送信を使用して１つ以上のタスクを実行することをさらに含む、実施形態１の方法。
【０１０６】
実施形態３：１つ以上のタスクを実行することは、ＤＦＴ拡散長が２の３つの割り当てられたサブキャリアのセットのうちの２つの選択された隣接サブキャリアのみを使用する、ＳＣ−ＦＤＭＡ Ｐｉ／２ ＢＰＳＫ変調を用いてサブＰＲＢ送信を実行することを含む、実施形態２の方法。
【０１０７】
実施形態４：１つ以上のタスクを実行することは、２つの選択された隣接サブキャリアを示す情報を別のノードに送信することを含む、実施形態２の方法。
【０１０８】
実施形態５：３つの割り当てられたサブキャリアのセットから２つの隣接サブキャリアを選択することは、サブＰＲＢ送信を割り当てたセルが「偶数」であるか、または「奇数」であるかに基づいて、２つの隣接サブキャリアを選択することを含む、実施形態１から４のいずれかの方法。
【０１０９】
実施形態６：３つの割り当てられたサブキャリアのセットから２つの隣接サブキャリアを選択することは、サブＰＲＢ送信を割り当てたセルのセル識別子（ＩＤ）に基づいて２つの隣接サブキャリアを選択することを含む、実施形態１から４のいずれかの方法。
【０１１０】
実施形態７：３つの割り当てられたサブキャリアのセットから２つの隣接サブキャリアを選択することは、セルごとに２つの隣接サブキャリアをランダムに選択することを含む、実施形態１から４のいずれかの方法。
【０１１１】
実施形態８：復調参照信号（ＤＭＲＳ）は、所定の方法で、２つの選択された隣接サブキャリアのうちの１つのみにマッピングされる、実施形態１から７のいずれかの方法。
【０１１２】
実施形態９：ＤＭＲＳがマッピングされる２つの選択された隣接サブキャリアのうちの１つは、３つの割り当てられたサブキャリアのセットの中心サブキャリアである、実施形態８の方法。
【０１１３】
実施形態１０；サブＰＲＢ送信を割り当てたセルが「偶数」か「奇数」かに基づいて、ＤＭＲＳがマッピングされる２つの選択された隣接サブキャリアのうちの１つを選択することをさらに含む、実施形態８の方法。
【０１１４】
実施形態１１；サブＰＲＢ送信を割り当てたセルが「偶数」か「奇数」かに基づいて、ＤＭＲＳがマッピングされる２つの選択された隣接サブキャリアのうちの１つを選択することをさらに含む、実施形態８の方法。
【０１１５】
実施形態１２：復調参照信号（ＤＭＲＳ）が、所定の方法で、２つの選択された隣接サブキャリアにマッピングされる、実施形態１から７のいずれかの方法。
【０１１６】
実施形態１３：復調参照信号（ＤＭＲＳ）が、所定のパターンに従って、２つの選択された隣接サブキャリアにマッピングされる、実施形態１から４のいずれかの方法。
【０１１７】
実施形態１４：所定のパターンは、２つの選択された隣接サブキャリアの間でＤＭＲＳのマッピングを交互にする周期的パターンである、実施形態１３の方法。
【０１１８】
実施形態１５：所定のパターンは、２つの選択された隣接サブキャリアの間でＤＭＲＳのマッピングを交互にする擬似ランダムパターンである、実施形態１３の方法。
【０１１９】
実施形態１６：サブ物理リソースブロック（ＰＲＢ）を提供するための無線ノード（例えば、ユーザ装置（ＵＥ）（１１２）または基地局（１０２、１０６））の動作方法であって、ＮＡの割り当てされたサブキャリアのセット中から、ＮＳの隣接サブキャリアのみを使用した変調を用いるサブＰＲＢ送信のために割り当てられたＮＡの割り当てサブキャリアのセットから、数ＮＳの隣接サブキャリアを選択することを含み、ＮＳ＜ＮＡである、方法。
【０１２０】
実施形態１７：サブＰＲＢ送信を使用して１つ以上のタスクを実行することをさらに含む、実施形態１６の方法。
【０１２１】
実施形態１８：１つ以上のタスクを実行することは、ＮＡの割り当てられたサブキャリアのセットのうちのＮＳの選択された隣り合うサブキャリアのみを使用する変調を用いるサブＰＲＢ送信を実行することを含む、実施形態１７の方法。
【０１２２】
実施形態１９：１つまたは複数のタスクを実行することは、ＮＳのの選択された隣接サブキャリアを示す情報を別のノードに送信することを含む、実施形態１７の方法。
【０１２３】
実施形態２０：ＮＡの割り当てられたサブキャリアのセットからＮＳの隣接サブキャリアを選択することは、サブＰＲＢ送信を割り当てたセルが「偶数」であるか、または「奇数」であるかに基づいて、２つの隣接サブキャリアを選択することを含む、実施形態１６から１９のいずれかの方法。
【０１２４】
実施形態２１：ＮＡの割り当てられたサブキャリアのセットからＮＳの隣接サブキャリアを選択することは、サブＰＲＢ送信を割り当てたセルのセル識別子（ＩＤ）に基づいてＮＳの隣接サブキャリアを選択することを含む、実施形態１６から１９のいずれかの方法。
【０１２５】
実施形態２２：ＮＡの割り当てられたサブキャリアのセットからＮＳの隣接サブキャリアを選択することは、セルごとにランダムにＮＳの隣接サブキャリアを選択することを含む、実施形態１６から１９のいずれかの方法。
【０１２６】
実施形態２３：復調参照信号（ＤＭＲＳ）が、事前定義された方法でＮＳの選択された隣接サブキャリアの（例えば、１つの）サブセットのみにマッピングされる、実施形態１６から２２のいずれかの方法。
【０１２７】
実施形態２４：ＤＭＲＳがマッピングされるＮＳの選択された隣接サブキャリアのサブセットは、ＮＡの割り当てられたサブキャリアのセットの中心サブキャリアを含む、実施形態２３の方法。
【０１２８】
実施形態２５：サブＰＲＢ送信を割り当てたセルが「偶数」か「奇数」かに基づいて、ＤＭＲＳがマッピングされるＮＳの選択された隣接サブキャリアのうちのサブセット選択することをさらに含む、実施形態２３の方法。
【０１２９】
実施形態２６：サブＰＲＢ送信を割り当てたセルが「偶数」か「奇数」かに基づいて、ＤＭＲＳがマッピングされるＮＳの選択された隣接サブキャリアのうちのサブセットを選択することをさらに含む、実施形態２３の方法。
【０１３０】
実施形態２７：復調参照信号（ＤＭＲＳ）が、所定の方法で、２つの選択された隣接サブキャリアにマッピングされる、実施形態１６から２２のいずれかの方法。
【０１３１】
実施形態２８：復調参照信号（ＤＭＲＳ）が、所定のパターンに従って、２つの選択された隣接サブキャリアにマッピングされる、実施形態１６から２２のいずれかの方法。
【０１３２】
実施形態２９：所定のパターンは、ＮＳの選択された隣接サブキャリアの間でＤＭＲＳのマッピングを交互にする周期的パターンである、実施形態２３の方法。
【０１３３】
実施形態３０：所定のパターンは、ＮＳの選択された隣接サブキャリアの間でＤＭＲＳのマッピングを交互にする擬似ランダムパターンである、実施形態２３の方法。
【０１３４】
実施形態３１：ＮＡの割り当てサブキャリアのセットのうちの隣接するＮＳのサブキャリアのみを使用する変調は、ＮＡ = ３およびＮＳ = ２であるような２の拡散長を有する離散フ−リエ変換（ＤＦＴ）を有するＮＡの割り当てられたサブキャリアのセットのうちの２つの隣接サブキャリアのみを使用する、シングルキャリア周波数分割多元接続（ＳＣ−ＦＤＭＡ） Ｐｉ／２ 二値位相偏移キーイング（ＢＰＳＫ）変調である、実施形態１６から３０のいずれかの方法。
【０１３５】
実施形態３２：無線ノードは無線デバイスである、実施形態１から３１のいずれかの方法。
【０１３６】
実施形態３３：ユーザデータを提供することと、基地局への送信を介してユーザデータをホストコンピュータに転送することをさらに含む、実施形態３２に記載の方法。
【０１３７】
実施形態３４：無線ノードは基地局である、実施形態１から３１のいずれかの方法。
【０１３８】
実施形態３５：ユーザデータを取得することと、ユーザデータをホストコンピュータまたは無線デバイスに転送することをさらに含む、前述の実施形態のいずれかの方法。
グル−プＣの実施形態
【０１３９】
実施形態３６：サブ物理リソースブロック（ＰＲＢ）送信を提供するための無線デバイスであって、実施形態１から３３のいずれかのステップのいずれかを実行するように構成された処理回路と、無線デバイスに電力を供給するように構成された電源回路とを備える、無線デバイス。
【０１４０】
実施形態３７：サブ物理リソースブロック（ＰＲＢ）送信を提供するための基地局であって、実施形態１から３１、３４、および３５のいずれかのステップのいずれかを実行するように構成された処理回路と、基地局に電力を供給するように構成された電源回路とを備える、基地局。
【０１４１】
実施形態３８：サブ物理リソースブロック（ＰＲＢ）送信を提供するためのユーザ装置（ＵＥ）（１２００）であって、ユーザ装置（１２００）は、無線信号を送受信するように構成されたアンテナ（１２１２）と、アンテナ（１２１２）及び処理回路（１２０２）に接続され、アンテナ（１２１２）と処理回路（１２０２）との間で通信される信号を条件付けるように構成された無線フロントエンド回路と、実施形態１から３３のいずれかのステップのいずれかを実行するように構成された処理回路（１２０２）と、処理回路（１２０２）に接続され、ＵＥ（１２００）への情報の入力が処理回路（１２０２）によって処理されるように構成された入力インターフェースと、処理回路（１２０２）に接続され、処理回路（１２０２）によって処理されたＵＥ（１２００）からの情報を出力するように構成された出力インターフェースと、処理回路（１２０２）に接続され、ＵＥ（１２００）へ電力を供給するように構成されるバッテリとを備える、ＵＥ。
【０１４２】
実施形態３９：ユーザデータを提供するように構成された処理回路と、ユーザ装置（ＵＥ）に送信するためにユーザデータをセルラーネットワークに転送するように構成された通信インターフェースとを備えるホストコンピュータを含む通信システムであって、セルラーネットワークは、無線インターフェースおよび処理回路を有する基地局を備え、基地局の処理回路は、実施形態１から３１、３４、および３５のステップのいずれかを実行するように構成される、通信システム。
【０１４３】
実施形態４０：基地局をさらに含む、前述の実施形態の通信システム。
【０１４４】
実施形態４１：ＵＥをさらに含み、ＵＥは基地局と通信するように構成される、前述の２つの実施形態の通信システム。
【０１４５】
実施形態４２：ホストコンピュータの処理回路は、ホストアプリケーションを実行し、それによってユーザデータを提供するように構成され、ＵＥは、ホストアプリケーションに関連付けられたクライアントアプリケーションを実行するように構成された処理回路を備える、前述の３つの実施形態の通信システム。
【０１４６】
実施形態４３：ホストコンピュータ、基地局、およびユーザ装置（ＵＥ）を含む通信システムにおいて実施される方法であって、ホストコンピュータにおいて、ユーザデータを提供し、ホストコンピュータにおいて、基地局を含むセルラーネットワークを介してユーザデータを搬送する送信をＵＥに開始することを含み、基地局は、実施形態１から３１、３４、および３５のいずれかのステップのいずれかを実行する、方法。
【０１４７】
実施形態４４：基地局において、ユーザデータを送信するステップをさらに含む、前述の実施形態の方法。
【０１４８】
実施形態４５：ユーザデータはホストアプリケーションを実行することによってホストコンピュータにおいて提供され、方法はＵＥにおいて、ホストアプリケーションに関連付けられたクライアントアプリケーションを実行することをさらに含む、前述の２つの実施形態の方法。
【０１４９】
実施形態４６：基地局と通信するように構成されたユーザ装置（ＵＥ）であって、ＵＥは、前述の３つの実施形態の方法を実行するように構成された無線インターフェースおよび処理回路を備える、ＵＥ。
【０１５０】
実施形態４７：ユーザデータを提供するように構成された処理回路と、ユーザ装置（ＵＥ）に送信するためにユーザデータをセルラーネットワークに転送するように構成された通信インターフェースとを備えるホストコンピュータを含む通信システムであって、ＵＥは、無線インターフェースおよび処理回路を備え、ＵＥのコンポーネント（構成要素）は実施形態１から３１のいずれかのステップを実行するように構成される、通信システム。
【０１５１】
実施形態４８：セルラーネットワークは、ＵＥと通信するように構成された基地局をさらに含む、前述の実施形態の通信システム。
【０１５２】
実施形態４９：ホストコンピュータの処理回路は、ホストアプリケーションを実行し、それによってユーザデータを提供するように構成され、ＵＥの処理回路は、ホストアプリケーションに関連付けられたクライアントアプリケーションを実行するように構成される、前述の２つの実施形態の通信システム。
【０１５３】
実施形態５０：ホストコンピュータ、基地局、およびユーザ装置（ＵＥ）を含む通信システムにおいて実施される方法であって、ホストコンピュータにおいて、ユーザデータを提供することと、ホストコンピュータにおいて、基地局を含むセルラーネットワークを介してユーザデータを搬送する送信をＵＥに開始することとを含み、ＵＥは、実施形態１から３１のいずれかのステップのいずれかを実行する、方法。
【０１５４】
実施形態５１：ＵＥにおいて、基地局からユーザデータを受信することをさらに含む、前述の実施形態の方法。
【０１５５】
実施形態５２：ユーザ装置（ＵＥ）から基地局への送信から生じるユーザデータを受信するように構成された通信インターフェースを備えるホストコンピュータを含む通信システムであって、ＵＥは無線インターフェースおよび処理回路を備え、ＵＥの処理回路は実施形態１から３１のいずれかのステップのいずれかを実行するように構成される、通信システム。
【０１５６】
実施形態５３：ＵＥをさらに含む、前述の実施形態の通信システム。
【０１５７】
実施形態５４：基地局をさらに含み、基地局は、ＵＥと通信するように構成された無線インターフェースと、ＵＥから基地局への送信によって搬送されるユーザデータをホストコンピュータに転送するように構成された通信インターフェースとを備える、前述の２つの実施形態の通信システム。
【０１５８】
実施形態５５：ホストコンピュータの処理回路はホストアプリケーションを実行するように構成され、ＵＥの処理回路はホストアプリケーションに関連付けられたクライアントアプリケーションを実行するように構成され、それによってユーザデータを提供する、前述の３つの実施形態の通信システム。
【０１５９】
実施形態５６：ホストコンピュータの処理回路はホストアプリケーションを実行し、それによって要求データを提供するように構成され、ＵＥの処理回路はホストアプリケーションに関連するクライアントアプリケーションを実行し、それによって要求データに応答してユーザデータを提供するように構成される、前述の４つの実施形態の通信システム。
【０１６０】
実施形態５７：ホストコンピュータ、基地局、およびユーザ装置（ＵＥ）を含む通信システムにおいて実施される方法であって、ホストコンピュータにおいて、ＵＥから基地局に送信されたユーザデータを受信することを含み、ＵＥは、実施形態１から３１のいずれかのステップのいずれかを実行する、方法。
【０１６１】
実施形態５８：ＵＥにおいて、ユーザデータを基地局に提供することをさらに含む、前述の実施形態の方法。
【０１６２】
実施形態５９：ＵＥにおいて、クライアントアプリケーションを実行し、それによって、送信されるべきユーザデータを提供し、ホストコンピュータにおいて、クライアントアプリケーションに関連付けられたホストアプリケーションを実行することをさらに含む、前述の２つの実施形態の方法。
【０１６３】
実施形態６０：ＵＥにおいて、クライアントアプリケーションを実行することと、ＵＥにおいて、クライアントアプリケーションへの入力データを受信することをさらに含み、入力データはクライアントアプリケーションに関連付けられたホストアプリケーションを実行することによってホストコンピュータにおいて提供され、送信されるべきユーザデータは入力データに応答してクライアントアプリケーションによって提供される、前述の３つの実施形態の方法。
【０１６４】
実施形態６１：ユーザ装置（ＵＥ）から基地局への送信から発信されるユーザデータを受信するように構成された通信インターフェースを備えるホストコンピュータを含む通信システムであって、基地局は無線インターフェースおよび処理回路を備え、基地局の処理回路はグル−プＡの実施形態のいずれかのステップのいずれかを実行するように構成される、通信システム。
【０１６５】
実施形態６２：基地局をさらに含む、前述の実施形態の通信システム。
【０１６６】
実施形態６３：ＵＥをさらに含み、ＵＥは基地局と通信するように構成される、前述の2つの実施形態の通信システム。
【０１６７】
実施形態６４：ホストコンピュータの処理回路はホストアプリケーションを実行するように構成され、ＵＥはホストアプリケーションに関連付けられたクライアントアプリケーションを実行するように構成され、それによって、ホストコンピュータによって受信されるユーザデータを提供する、前述の３つの実施形態の通信システム。
【０１６８】
実施形態６５：ホストコンピュータ、基地局、およびユーザ装置（ＵＥ）を含む通信システムにおいて実施される方法であって、ホストコンピュータにおいて、基地局がＵＥから受信した送信から生じるユーザデータを基地局から受信することを含み、ＵＥは、実施形態１から３１のいずれかのステップのいずれかを実行する、方法。
【０１６９】
実施形態６６：基地局において、ＵＥからユーザデータを受信することをさらに含む、前述の実施形態の方法。
【０１７０】
実施形態６７：基地局において、ホストコンピュータへの受信されたユーザデータの送信を開始することをさらに含む、前述の２つの実施形態に記載の方法。
【０１７１】
略語
本開示では、以下の略語の少なくともいくつかを使用することができる。略号間に不一致がある場合、それが上記でどのように使用されるかが優先されるべきである。以下に複数回列挙される場合、最初の列挙は、その後の任意の列挙よりも優先されるべきである。
・3GPP    Third Generation Partnership Project（第３世代パートナーシッププロジェクト）
・5G      Fifth Generation（第５世代）
・AP      Access Point（アクセスポイント）
・ASIC    Application Specific Integrated Circuit（特定用途向け集積回路）
・BL      Bandwidth Limited Low Complexity（帯域制限低複雑性）
・BPSK    Binary Phase Shift Keying（二値位相シフトキーイング）
・CE      Coverage Enhancement（カバレッジ強化）
・CPU     Central Processing Unit（中央処理装置）
・DFT     Discrete Fourier Transform（離散フーリエ変換）
・DMRS    Demodulation Reference Signal（復調参照信号）
・DSP     Digital Signal Processor（デジタル信号プロセッサ）
・efeMTC  Even Further Enhanced Machine Type Communication（さらに強化されたマシンタイプの通信）
・eNB     Enhanced or Evolved Node B（拡張または進化型ノードＢ）
・FFT     Fast Fourier Transform（高速フーリエ変換）
・FPGA    Field Programmable Gate Array（フィールド・プログラマブル・ゲート・アレイ）
・gNB     New Radio Base Station（New Radio（新無線）基地局）
・ID      Identifier（識別子）
・kHz     Kilohertz（キロヘルツ）
・LTE     Long Term Evolution（ロングタームエボリューション）
・MME     Mobility Management Entity（モビリティマネジメントエンティティ）
・ms      Millisecond（ミリ秒）
・MTC     Machine Type Communication（マシンタイプ通信）
・NB-IoT  Narrowband Internet of Things（狭帯域インターネットオブシングス）
・NR      New Radio（新無線）
・OTT     Over-the-Top（オーバー・ザ・トップ）
・PAPR    Peak-to-Average Power Ratio（ピーク対平均電力比）
・PCI     Physical Cell Identifier（物理セル識別子）
・P-GW    Packet Data Network Gateway（パケットデータネットワークゲートウェイ）
・PRB     Physical Resource Block（物理リソースブロック）
・PUSCH   Physical Uplink Shared Channel（物理アップリンク共有チャネル）
・QPSK    Quadrature Phase Shift Keying（直交（４値）位相シフトキーイング）
・RAM     Random Access Memory（ランダムアクセスメモリ）
・RAN     Radio Access Network（無線アクセスネットワーク）
・RE      Resource Element（リソース要素）
・ROM     Read Only Memory（読み取り専用メモリ）
・RRH     Remote Radio Head（リモートラジオヘッド）
・RU      Resource Unit（リソースユニット）
・SCEF    Service Capability Exposure Function（サービス機能露出機能）
・SC-FDMA Single Carrier Frequency Division Multiple Access（シングルキャリア周波数分割多元接続）
・TB      Transport Block（トランスポートブロック）
・UE      User Equipment（ユーザ装置）
・WI      Work Item（作業項目）
・WID     Work Item Description（作業項目の説明）
【０１７２】
参考文献
[1] Huawei et al., “RP−170309: Revised WID: LTE Advanced inter−band CA Rel−14 for 3DL／1UL,” 3GPP TSG RAN Meeting #75, March 6−9, 2017, Dubrovnik, Croatia.
[2] Ericsson et al., “RP−171427: Revised WID on Even further enhanced MTC for LTE,” 3GPP TSG RAN Meeting #76, June 5−8, 2017, West Palm Beach, USA.
[3] Ad−Hoc chair （NTT DOCOMO, INC.）, “R1−1721237: Chairman’s notes of AI 6.2.5 even further enhanced MTC for LTE,” 3GPP TSG RAN WG1 Meeting 91, November 27−December 1, 2017, Reno, USA.
【図１】
2021532610.tif 000004
【図２】
2021532610.tif 000005
【図３】
2021532610.tif 000006
【図４】
2021532610.tif 000007
【図５】
2021532610.tif 000008
【図６】
2021532610.tif 000009
【図７】
2021532610.tif 000010
【図８】
2021532610.tif 000011
【図９】
2021532610.tif 000012
【図１０】
2021532610.tif 000013
【図１１】
2021532610.tif 000014
【図１２】
2021532610.tif 000015
【図１３】
2021532610.tif 000016
【図１４】
2021532610.tif 000017
【図１５】
2021532610.tif 000018
【図１６】
2021532610.tif 000019
【図１７】
2021532610.tif 000020
【図１８】
2021532610.tif 000021
【図１９】
2021532610.tif 000022
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
サブ物理リソースブロック（ＰＲＢ）送信を提供するための無線ノード（１０２、１０６、１１２）の動作方法であって、
離散フーリエ変換（ＤＦＴ）拡散長が２の３つの割り当てられたサブキャリアのセットのうち、２つの隣接サブキャリアのみを使用する、シングルキャリア周波数分割多元接続（ＳＣ−ＦＤＭＡ） Ｐｉ／２ ２値位相シフトキーイング（ＢＰＳＫ）変調を使用する、サブＰＲＢ送信のために割り当てられた３つのサブキャリアのセットから、２つの隣接サブキャリアを選択することを含み、
前記３つの割り当てられたサブキャリアのセットから前記２つの隣接サブキャリアを選択することは、前記サブＰＲＢ送信を割り当てたセルのセル識別子（ＩＤ）に基づいて前記２つの隣接するサブキャリアを選択することを含む、方法。
【請求項２】
前記サブＰＲＢ送信に関連する１つ以上のタスクを実行することをさらに含む、請求項１に記載の方法。
【請求項３】
前記１つ以上のタスクを実行することは、ＤＦＴ拡散長が２の前記３つの割り当てられたサブキャリアのセットのうちの前記２つの選択された隣接サブキャリアのみを使用する、ＳＣ−ＦＤＭＡ Ｐｉ／２ ＢＰＳＫ変調を使用して前記サブＰＲＢ送信を実行することを含む、請求項２に記載の方法。
【請求項４】
前記１つ以上のタスクを実行することは、前記２つの選択された隣接サブキャリアを示す情報を別のノードに送信することを含む、請求項２に記載の方法。
【請求項５】
前記サブＰＲＢ送信を割り当てた前記セルの前記セルＩＤに基づいて前記２つの隣接サブキャリアを選択することは、前記セルＩＤモジュロ２演算から得られる値に基づいて前記２つの隣接サブキャリアを選択することを含む、請求項１から４のいずれか１項に記載の方法。
【請求項６】
前記２つの隣接サブキャリアは、前記値が「０」である場合には、前記３つの割り当てられたサブキャリアのセットの中で最も低いインデックスを有する２つのサブキャリアであり、前記値が「１」である場合には、前記３つの割り当てられたサブキャリアのセットの中で最も高いインデックスを有する２つのサブキャリアである、請求項５に記載の方法。
【請求項７】
前記セルＩＤは、０から５０３までの範囲の値である、請求項１から６のいずれか１項に記載の方法。
【請求項８】
前記３つの割り当てられたサブキャリアのセットから前記２つの隣接サブキャリアを選択することは、前記サブＰＲＢ送信を割り当てたセルが「偶数」であるか、または「奇数」であるかに基づいて、前記２つの隣接サブキャリアを選択することを含み、前記セルが「偶数」であるか「奇数」であるかは、前記サブＰＲＢ送信を割り当てた前記セルの前記セルＩＤに基づく、請求項１から４のいずれか１項に記載の方法。
【請求項９】
復調参照信号（ＤＭＲＳ）が、交互のパターンに従って、前記２つの選択された隣接サブキャリアにマッピングされる、請求項１から８のいずれか１項に記載の方法。
【請求項１０】
復調参照信号（ＤＭＲＳ）が、決定論的の交互のパターンに従って、前記２つの選択された隣接サブキャリアにマッピングされる、請求項１から８のいずれか１項に記載の方法。
【請求項１１】
復調参照信号（ＤＭＲＳ）が、所定のパターンに従って、前記２つの選択された隣接サブキャリアにマッピングされる、請求項１から８のいずれか１項に記載の方法。
【請求項１２】
前記所定のパターンは、前記２つの選択された隣接サブキャリアの間で前記ＤＭＲＳのマッピングを交互にする周期的パターンである、請求項１１に記載の方法。
【請求項１３】
前記所定のパターンは、前記２つの選択された隣接サブキャリアの間でＤＭＲＳをマッピングする擬似ランダムパターンある、請求項１１に記載の方法。
【請求項１４】
復調参照信号（ＤＭＲＳ）は、所定の方法で、前記２つの選択された隣接サブキャリアのうちの１つのみにマッピングされる、請求項１から８のいずれか１項に記載の方法。
【請求項１５】
ＤＭＲＳがマッピングされる前記２つの選択された隣接サブキャリアのうちの前記１つは、前記３つの割り当てられたサブキャリアのセットの中心サブキャリアである、請求項１４に記載の方法。
【請求項１６】
前記サブＰＲＢ送信を割り当てたセルが「偶数」か「奇数」かに基づいて、ＤＭＲＳがマッピングされる前記２つの選択された隣接サブキャリアのうちの前記１つを選択することをさらに含み、前記セルが「偶数」であるか「奇数」であるかは、前記サブＰＲＢ送信を割り当てた前記セルの前記セルＩＤに基づく、請求項１４に記載の方法。
【請求項１７】
復調参照信号（ＤＭＲＳ）が、所定の方法で前記２つの選択された隣接サブキャリアにマッピングされる、請求項１から８のいずれか１項に記載の方法。
【請求項１８】
前記無線ノード（１０２、１０６、１１２）は、無線デバイス（１１２）である、請求項１から１７のいずれか１項に記載の方法。
【請求項１９】
ユーザデータを提供することと、
前記基地局への送信を介して前記ユーザデータをホストコンピュータに転送すること、
を更に含む、請求項１８に記載の方法。
【請求項２０】
前記無線ノード（１０２、１０６、１１２）は、基地局（１０２、１０６）である、請求項１から１７のいずれか１項に記載の方法。
【請求項２１】
ユーザデータを取得することと、
ホストコンピュータまたは無線デバイスへ前記ユーザデータを転送すること。
を更に含む、請求項２０に記載の方法。
【請求項２２】
サブ物理リソースブロック、ＰＲＢ（送信）を提供する無線ノード（１０２、１０６、１１２）であって、
前記無線ノード（１０２、１０６、１１２）に、離散フーリエ変換（ＤＦＴ）拡散長が２の３つの割り当てられたサブキャリアのセットの中から２つの隣接サブキャリアのみを使用する、シングルキャリア周波数分割多元接続（ＳＣ−ＦＤＭＡ） Ｐｉ／２ ２値位相シフトキーイング（ＢＰＳＫ）変調を使用する、サブＰＲＢ送信のために割り当てられた３つの割り当てられたサブキャリアのセットから、２つの隣接サブキャリアを選択させるように構成された処理回路（９０４、１００４、１２０２）を備え、
前記３つの割り当てられたサブキャリアのセットから前記２つの隣接サブキャリアを選択することは、前記サブＰＲＢ送信を割り当てたセルのセル識別子（ＩＤ）に基づいて前記２つの隣接するサブキャリアを選択することを含む、無線ノード（１０２、１０６、１１２）。
【請求項２３】
前記処理回路（９０４、１００４、１２０２）は、前記無線ノード（１０２、１０６、１１２）に請求項２から２１のいずれか１項に記載の方法を実行させるようにさらに構成される、請求項２２に記載の無線ノード（１０２、１０６、１１２）。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
サブ物理リソースブロック（ＰＲＢ）送信を提供するための無線ノード（１０２、１０６、１１２）の動作方法であって、
離散フーリエ変換（ＤＦＴ）拡散長が２の３つの割り当てられたサブキャリアのセットのうち、２つの隣接サブキャリアのみを使用する、シングルキャリア周波数分割多元接続（ＳＣ−ＦＤＭＡ） Ｐｉ／２ ２値位相シフトキーイング（ＢＰＳＫ）変調を使用する、サブＰＲＢ送信のために割り当てられた３つのサブキャリアのセットから、２つの隣接サブキャリアを選択することを含み、
前記３つの割り当てられたサブキャリアのセットから前記２つの隣接サブキャリアを選択することは、前記サブＰＲＢ送信を割り当てたセルのセル識別子（ＩＤ）に基づいて前記２つの隣接するサブキャリアを選択することを含み、
前記サブＰＲＢ送信を割り当てた前記セルの前記セルＩＤに基づいて前記２つの隣接サブキャリアを選択することは、前記セルＩＤモジュロ２演算から得られる値に基づいて前記２つの隣接サブキャリアを選択することを含む、方法。
【請求項２】
前記サブＰＲＢ送信に関連する１つ以上のタスクを実行することをさらに含む、請求項１に記載の方法。
【請求項３】
前記１つ以上のタスクを実行することは、ＤＦＴ拡散長が２の３つの前記割り当てられたサブキャリアのセットのうちの前記２つの選択された隣接サブキャリアのみを使用する、ＳＣ−ＦＤＭＡ Ｐｉ／２ ＢＰＳＫ変調を使用して前記サブＰＲＢ送信を実行することを含む、請求項２に記載の方法。
【請求項４】
前記１つ以上のタスクを実行することは、前記２つの選択された隣接サブキャリアを示す情報を別のノードに送信することを含む、請求項２に記載の方法。
【請求項５】
前記２つの隣接サブキャリアは、前記値が「０」である場合には、前記３つの割り当てられたサブキャリアのセットの中で最も低いインデックスを有する２つのサブキャリアであり、前記値が「１」である場合には、前記３つの割り当てられたサブキャリアのセットの中で最も高いインデックスを有する２つのサブキャリアである、請求項１に記載の方法。
【請求項６】
前記セルＩＤは、０から５０３までの範囲の値である、請求項１から５のいずれか１項に記載の方法。
【請求項７】
前記３つの割り当てられたサブキャリアのセットから前記２つの隣接サブキャリアを選択することは、前記サブＰＲＢ送信を割り当てたセルが「偶数」であるか、または「奇数」であるかに基づいて、前記２つの隣接サブキャリアを選択することを含み、前記セルが「偶数」であるか「奇数」であるかは、前記サブＰＲＢ送信を割り当てた前記セルの前記セルＩＤに基づく、請求項１から４のいずれか１項に記載の方法。
【請求項８】
復調参照信号（ＤＭＲＳ）が、交互のパターンに従って、前記２つの選択された隣接サブキャリアにマッピングされる、請求項１から７のいずれか１項に記載の方法。
【請求項９】
復調参照信号（ＤＭＲＳ）が、決定論的の交互のパターンに従って、前記２つの選択された隣接サブキャリアにマッピングされる、請求項１から７のいずれか１項に記載の方法。
【請求項１０】
復調参照信号（ＤＭＲＳ）が、所定のパターンに従って、前記２つの選択された隣接サブキャリアにマッピングされる、請求項１から７のいずれか１項に記載の方法。
【請求項１１】
前記所定のパターンは、前記２つの選択された隣接サブキャリアの間で前記ＤＭＲＳのマッピングを交互にする周期的パターンである、請求項１０に記載の方法。
【請求項１２】
前記所定のパターンは、前記２つの選択された隣接サブキャリアの間でＤＭＲＳをマッピングする擬似ランダムパターンある、請求項１０に記載の方法。
【請求項１３】
復調参照信号（ＤＭＲＳ）は、所定の方法で、前記２つの選択された隣接サブキャリアのうちの１つのみにマッピングされる、請求項１から７のいずれか１項に記載の方法。
【請求項１４】
ＤＭＲＳがマッピングされる前記２つの選択された隣接サブキャリアのうちの前記１つは、前記３つの割り当てられたサブキャリアのセットの中心サブキャリアである、請求項１３に記載の方法。
【請求項１５】
前記サブＰＲＢ送信を割り当てたセルが「偶数」か「奇数」かに基づいて、ＤＭＲＳがマッピングされる前記２つの選択された隣接サブキャリアのうちの前記１つを選択することをさらに含み、前記セルが「偶数」であるか「奇数」であるかは、前記サブＰＲＢ送信を割り当てた前記セルの前記セルＩＤに基づく、請求項１３に記載の方法。
【請求項１６】
前記無線ノード（１０２、１０６、１１２）は、無線デバイス（１１２）である、請求項１から１５のいずれか１項に記載の方法。
【請求項１７】
ユーザデータを提供することと、
基地局への送信を介して前記ユーザデータをホストコンピュータに転送すること、
を更に含む、請求項１６に記載の方法。
【請求項１８】
前記無線ノード（１０２、１０６、１１２）は、基地局（１０２、１０６）である、請求項１から１５のいずれか１項に記載の方法。
【請求項１９】
ユーザデータを取得することと、
ホストコンピュータまたは無線デバイスへ前記ユーザデータを転送すること。
を更に含む、請求項１８に記載の方法。
【請求項２０】
サブ物理リソースブロック、ＰＲＢ（送信）を提供する無線ノード（１０２、１０６、１１２）であって、
前記無線ノード（１０２、１０６、１１２）に、離散フーリエ変換（ＤＦＴ）拡散長が２の３つの割り当てられたサブキャリアのセットの中から２つの隣接サブキャリアのみを使用する、シングルキャリア周波数分割多元接続（ＳＣ−ＦＤＭＡ） Ｐｉ／２ ２値位相シフトキーイング（ＢＰＳＫ）変調を使用する、サブＰＲＢ送信のために割り当てられた３つの割り当てられたサブキャリアのセットから、２つの隣接サブキャリアを選択させるように構成された処理回路（９０４、１００４、１２０２）を備え、
前記３つの割り当てられたサブキャリアのセットから前記２つの隣接サブキャリアを選択することは、前記サブＰＲＢ送信を割り当てたセルのセル識別子（ＩＤ）に基づいて前記２つの隣接するサブキャリアを選択することを含み、
前記サブＰＲＢ送信を割り当てた前記セルの前記セルＩＤに基づいて前記２つの隣接サブキャリアを選択することは、前記セルＩＤモジュロ２演算から得られる値に基づいて前記２つの隣接サブキャリアを選択することを含む、無線ノード（１０２、１０６、１１２）。
【請求項２１】
前記処理回路（９０４、１００４、１２０２）は、前記無線ノード（１０２、１０６、１１２）に請求項２から１９のいずれか１項に記載の方法を実行させるようにさらに構成される、請求項２０に記載の無線ノード（１０２、１０６、１１２）。
【国際調査報告】
2021532610.tif 000023
2021532610.tif 000024